(57)【要約】      （修正有）【課題】投影スクリーン組立体に関し、枠体に張力によって保持されるスクリーンを有する投影スクリーン組立体を提供する。【解決手段】投影スクリーン装置１０を構築する方法であって、投影スクリーン１８と、少なくとも２つの同一のフレームモジュール２６を含む複数のフレームモジュール２６とを提供することと、少なくとも１つの同一のフレームモジュール２６を含む前記複数のフレームモジュール２６で投影スクリーン枠体１６を構築することと、前記投影スクリーン１８を前記投影スクリーン枠体１６で支持することと、少なくとも１つの同一のフレームモジュール２６を含む前記複数のフレームモジュール２６で少なくとも１つの脚部１４を構築することと、前記投影スクリーン枠体１６を前記少なくとも１つの脚部１４で支持することとを含む、方法を特徴とする。【選択図】図１
2017129867.tif 000002
【特許請求の範囲】
【請求項１】
投影スクリーン装置を構築する方法であって、
投影スクリーンと、少なくとも２つの同一のフレームモジュールを含む複数のフレームモジュールとを提供することと、
少なくとも１つの同一のフレームモジュールを含む前記複数のフレームモジュールで投影スクリーン枠体を構築することと、
前記投影スクリーンを前記投影スクリーン枠体で支持することと、
少なくとも１つの同一のフレームモジュールを含む前記複数のフレームモジュールで少なくとも１つの脚部を構築することと、
前記投影スクリーン枠体を前記少なくとも１つの脚部で支持することとを含む、方法。
【請求項２】
請求項１に記載の方法であって、
前記複数のフレームモジュールは弾性足部を含み、
前記投影スクリーン枠体を支持することにより、前記少なくとも１つの脚部の構築に用いられるフレームモジュールの前記弾性足部のうち少なくとも１つは地面に接し、前記投影スクリーン枠体の構築に用いられるフレームモジュールの前記弾性足部のうちの少なくとも１つは地面から離間する、方法。
【請求項３】
請求項１に記載の方法であって、
前記投影スクリーンは複数のコネクタを含み、前記複数のフレームモジュールは前記投影スクリーンの前記複数のコネクタと結合するよう構成された複数のフレームモジュールを含み、
前記投影スクリーンを支持することにより、前記投影スクリーンの前記コネクタは前記投影スクリーン枠体を構築するのに使用される複数のフレームモジュールの前記コネクタに結合され、前記投影スクリーンの使用中、前記少なくとも１つの脚部を構築するのに用いられる前記複数のフレームモジュールの前記コネクタは前記投影スクリーンの前記コネクタから離間する、方法。
【請求項４】
請求項１に記載の方法であって、
前記同一のフレームモジュールのうちの少なくとも１つは、前記投影スクリーン装置の使用中、垂直方向に延在し、前記同一のフレームモジュールのうちの少なくとも１つは、前記投影スクリーン装置の使用中、前記投影スクリーンのビュー面に対して法線方向に延在する、方法。
【請求項５】
投影スクリーンキットであって、
前記投影スクリーンキットは、複数の投影スクリーンおよび複数のフレームモジュールを含み、
前記複数の投影スクリーンは、第１の投影スクリーン上に投射される像を表示するように構成される第１のビュー面を有する第１の投影スクリーンおよび第２の投影スクリーン上に投射される像を表示するように構成される第２のビュー面を有する第２の投影スクリーンを含み、
前記複数のフレームモジュールは、前記複数の前記複数の投影スクリーンの各々のための組立枠体を画成するよう組み立てられるように構成され、各組立枠体は、前記複数の投影スクリーンのうちの少なくとも１つを支持するような寸法とされ、前記複数の投影スクリーンのための各組立枠体は、前記複数の投影スクリーンのうちの少なくとも１つを支持するために多数のフレームモジュールを必要とし、前記キット内のフレームモジュールの総数は、一度に前記複数の組立枠体の全てを組み立てるのに必要とされるフレームモジュールの合計よりも少ない、投影スクリーンキット。
【請求項６】
請求項５に記載の投影スクリーンキットであって、
前記第２のビュー領域は、前記第１のビュー領域よりも少なくとも１０％大きい、投影スクリーンキット。
【請求項７】
請求項５に記載の投影スクリーンキットであって、前記複数の投影スクリーンおよび複数のフレームモジュールを受容する内部領域を有する容器を更に含む、投影スクリーンキット。
【請求項８】
請求項５に記載の投影スクリーンキットであって、前記複数のフレームモジュールは、前記複数の投影スクリーンのうちの少なくとも１つに適した投影スクリーン枠体を画成するよう他のフレームモジュールの組合せと協働するような寸法とされていない少なくとも１つのフレームモジュールを含む、投影スクリーンキット。
【請求項９】
請求項５に記載の投影スクリーンキットであって、
前記複数のフレームモジュールは長さを有し、前記複数の投影スクリーンは周囲長さを有し、前記複数のフレームモジュールの全長さは、前記複数の投影スクリーンの前記周囲長さのうちの少なくとも１つよりも大きく、前記複数のフレームモジュールの全周囲長さよりも小さい、投影スクリーンキット。
【請求項１０】
投影スクリーン装置であって、
投影スクリーンに投影された像を表示するよう構成されたビュー面および複数のコネクタを含む投影スクリーンと、
外向きの周囲側面および前記外向きの周囲側面に結合される複数のコネクタを有する投影スクリーン枠体とを含み、
前記投影スクリーンの前記複数のコネクタは、前記投影スクリーンを前記投影スクリーン枠体に接続するよう、前記投影スクリーン枠体の複数のコネクタに接続する、投影スクリーン装置。
【請求項１１】
請求項１０に記載の投影スクリーンであって、前記投影スクリーン枠体は、内向きの面および前記内向きの面に結合される複数のコネクタを有する、投影スクリーン。
【請求項１２】
請求項１０に記載の投影スクリーンであって、前記投影スクリーン枠体の前記複数のコネクタは、頭部および軸部を有し、前記投影スクリーンのコネクタは、前記投影スクリーン枠体の前記コネクタの前記軸部に巻き付けられる、投影スクリーン。
【請求項１３】
請求項１０に記載の投影スクリーンであって、前記複数のフレームモジュールは、内向きの面上の弾性足部を含む、投影スクリーン。
【請求項１４】
請求項１０に記載の投影スクリーンであって、使用時に前記投影スクリーンは上辺を有し、前記投影スクリーン枠体は上部を有し、前記投影スクリーンの上辺は、前記投影スクリーン枠体の前記上部の前記コネクタの上に延在する、投影スクリーン。
【請求項１５】
請求項１０に記載の投影スクリーンであって、前記投影スクリーンの前記複数のコネクタの一部は、前記投影スクリーン枠体の前記外向きの周囲側面の外側に配置され、前記投影スクリーンの前記複数のコネクタの一部は、前記投影スクリーン枠体の前方に配置される、投影スクリーン。
【請求項１６】
請求項１０に記載の投影スクリーンであって、前記投影スクリーンの前記コネクタは、前記ビュー面に対して法線方向に前記投影スクリーン枠体の前記コネクタに対して力を印加する、投影スクリーン。
【請求項１７】
投影スクリーン装置であって、
投影スクリーンと、投影スクリーン枠体とを含み、
前記投影スクリーンは、前記投影スクリーン上に投影された像を表示するよう構成されたビュー面および複数のコネクタを含み、
前記投影スクリーン枠体は前記投影スクリーンを支持し、前記投影スクリーンは複数のフレームモジュールを含み、隣接するフレームモジュールはその間に連結部を画成するよう互いに結合され、各フレームモジュールは、第１の端と前記第１の端から時計回りに配置された第２の端とを含み、前記投影スクリーン枠体は、各フレームモジュールの前記第１の端に隣接する各フレームモジュールに結合される第１のコネクタおよび各フレームモジュールの前記第２の端に隣接する各フレームモジュールに結合される第２のコネクタを含む複数のコネクタを更に含み、前記第１のコネクタの全ては、それが結合されている前記フレームモジュールの前記第１の端から同じ距離に配置され、前記第２のコネクタの全ては、それが結合されている前記フレームモジュールの前記第２の端から同じ距離に配置される、投影スクリーン装置。
【請求項１８】
請求項１７に記載の投影スクリーン装置であって、前記コネクタの各々は、各連続するコネクタと同じ間隔で均等に離間している、投影スクリーン装置。
【請求項１９】
請求項１７に記載の投影スクリーン装置であって、前記連結部に隣接して配置される各コネクタは、前記間隔の半分だけ前記連結部から離間している、投影スクリーン装置。
【請求項２０】
請求項１７に記載の投影スクリーン装置であって、前記複数のフレームモジュールは長さを有し、前記複数のフレームモジュールの各々の前記長さは、連続するコネクタ間の間隔の倍数である、投影スクリーン装置。
【請求項２１】
投影スクリーン装置であって、
投影スクリーンおよび投影スクリーン枠体を含み、
前記投影スクリーンは、前記投影スクリーンに投影された像を表示するよう構成されたビュー面と、前記投影スクリーンの周囲から延びる複数のバンジーコネクタとを含み、
前記投影スクリーン枠体は、前記投影スクリーンを支持し、前記バンジーコネクタは前記投影スクリーン枠体へ延びる、投影スクリーン装置。
【請求項２２】
請求項２１に記載の投影スクリーン装置であって、前記投影スクリーン装置の使用中、前記バンジーコネクタの少なくとも一部は、前記投影スクリーン枠体の前方に配置される、投影スクリーン装置。
【請求項２３】
請求項２１に記載の投影スクリーン装置であって、前記バンジーコネクタの少なくとも一部は、前記投影スクリーン枠体の外向きの周囲側面の上に配置される、投影スクリーン装置。
【請求項２４】
請求項２１に記載の投影スクリーン装置であって、前記投影スクリーン枠体は、複数のポストを含み、前記バンジーコネクタは前記ポストの上に巻かれる、投影スクリーン装置。
【請求項２５】
請求項２１に記載の投影スクリーン装置であって、前記バンジーコネクタは、第１および第２の終端部を有する、投影スクリーン装置。
【請求項２６】
請求項２５に記載の投影スクリーン装置であって、前記第１および第２の終端部は、前記投影スクリーン内に配置される、投影スクリーン装置。
【請求項２７】
請求項２１に記載の投影スクリーン装置であって、前記投影スクリーンは、複数の管を更に含み、前記バンジーコネクタの部分は、前記管の中に配置される、投影スクリーン装置。
【請求項２８】
投影スクリーン装置であって、
投影スクリーンおよび投影スクリーン枠体を含み、
前記投影スクリーンは、前記投影スクリーンに投影された像を表示するよう構成されたビュー面と、前記投影スクリーンの周囲から延びる複数のループコネクタとを含み、
前記投影スクリーン枠体は、複数のポストを含み、前記投影スクリーンの前記ループコネクタは、前記投影スクリーンを支持するよう前記複数のポストの回りに延びる、投影スクリーン装置。
【請求項２９】
請求項２８に記載の投影スクリーン装置であって、前記複数のポストは、頭部および軸部を含み、前記ループコネクタは前記頭部と前記投影スクリーン枠体の間に配置される、投影スクリーン装置。
【請求項３０】
請求項２８に記載の投影スクリーン装置であって、前記複数のポストは、前記投影スクリーン枠体から放射状に外向きに延びる、投影スクリーン装置。
【請求項３１】
請求項２８に記載の投影スクリーン装置であって、前記投影スクリーン枠体の前記複数のポストと同一の複数のポストを有する少なくとも１つの脚部を更に含む、投影スクリーン装置。
【請求項３２】
請求項２８に記載の投影スクリーン装置であって、前記複数のポストの一部は第１の方向に延び、前記複数のポストの一部は前記第１の方向とは反対の第２の方向に延びる、投影スクリーン装置。
【請求項３３】
投影スクリーン装置であって、
投影スクリーンおよび投影スクリーン枠体を含み、
前記投影スクリーンは、前記投影スクリーンに投影された像を表示するよう構成されたビュー面および複数のバンジーコネクタを含み、各バンジーコネクタは少なくとも１つの終端部を有し、
前記投影スクリーン枠体は、前記投影スクリーンを支持し、前記バンジーコネクタは前記投影スクリーン枠体へ延びる、投影スクリーン装置。
【請求項３４】
請求項３３に記載の投影スクリーン装置であって、前記バンジーコネクタの各々は、少なくとも２つの終端部を有する、投影スクリーン装置。
【請求項３５】
請求項３３に記載の投影スクリーン装置であって、前記投影スクリーンは、前記バンジーコネクタを受容する管を含む複数のバンジー保持具を更に含む、投影スクリーン装置。
【請求項３６】
請求項３３に記載の投影スクリーン装置であって、前記投影スクリーン枠体は、前記投影スクリーンを垂直使用位置で使用するときの上部を有し、前記バンジーコネクタの一部は、前記スクリーン枠体の前記上部の上に配置される、投影スクリーン装置。
【請求項３７】
請求項３３に記載の投影スクリーン装置であって、前記枠体は、複数のポストを含み、前記バンジーコネクタは前記複数のポストの回りに延びる、投影スクリーン装置。
【請求項３８】
投影スクリーン装置であって、
投影スクリーンおよび投影スクリーン枠体を含み、
前記投影スクリーンは、前記投影スクリーンに投影された像を表示するよう構成されたビュー面および前記投影スクリーンに恒久的に結合された複数のバンジーコネクタを含み、
前記投影スクリーン枠体は、前記投影スクリーンを支持し、前記バンジーコネクタは、前記投影スクリーンを前記投影スクリーン枠体に結合する、投影スクリーン装置。
【請求項３９】
請求項３８に記載の投影スクリーン装置であって、前記投影スクリーンは、
前記バンジーコネクタを受容する管を含む複数のバンジー保持具を更に含む、投影スクリーン装置。
【請求項４０】
請求項３８に記載の投影スクリーン装置であって、前記投影スクリーンは、前記投影スクリーンの周囲部分を画成する布を更に含み、複数のバンジー保持具は前記バンジーコネクタを受容し、前記バンジー保持具は前記布に縫い付けられる、投影スクリーン装置。
【請求項４１】
請求項３８に記載の投影スクリーン装置であって、前記バンジーコネクタの各々は、前記投影スクリーンに恒久的に結合された少なくとも１つの終端部を有する、投影スクリーン装置。
【請求項４２】
請求項３８に記載の投影スクリーン装置であって、前記投影スクリーンは、前記投影スクリーンの周囲部分を画成する布を更に含み、前記複数のバンジーの一部は、前記投影スクリーン布と前記投影スクリーン枠体の間に直接的に配置されている、投影スクリーン装置。
【請求項４３】
投影スクリーン装置であって、
投影スクリーンおよび投影スクリーン枠体を含み、
前記投影スクリーンは、
前記投影スクリーンの周囲を画成する第１のシートと、前記第１のシートに結合された少なくとも１つの成型されたプラスチックシートと、前記少なくとも１つの成型されたプラスチックシートに結合された少なくとも１つのコネクタとを含み、
前記投影スクリーン枠体は前記投影スクリーンを支持し、前記少なくとも１つのコネクタは、前記投影スクリーンを前記投影スクリーン枠体に結合する、投影スクリーン装置。
【請求項４４】
請求項４３に記載の投影スクリーン装置であって、前記成型されたプラスチックシートはくさび形である、投影スクリーン装置。
【請求項４５】
請求項４３に記載の投影スクリーン装置であって、前記成型されたプラスチックシートは、前記投影スクリーンの前記コネクタを受容する管を含む、投影スクリーン装置。
【請求項４６】
請求項４３に記載の投影スクリーン装置であって、前記投影スクリーンは、前記投影スクリーンの周囲部分を画成する布を更に含み、前記成型されたプラスチックシートは、前記布に縫い付けられる、投影スクリーン装置。
【請求項４７】
請求項４３に記載の投影スクリーン装置であって、前記投影スクリーン枠体は、前記投影スクリーンを垂直使用位置に保持するときの上部を有し、成型されたプラスチックシートは、前記スクリーン枠体の前記上部の上に配置される、投影スクリーン装置。
【請求項４８】
請求項４３に記載の投影スクリーン装置であって、前記投影スクリーンの前記コネクタは、バンジーコネクタである、投影スクリーン装置。
【請求項４９】
請求項４８に記載の投影スクリーン装置であって、前記成型されたプラスチックシートは、前記バンジーコネクタの一部を受容する管を含む、投影スクリーン装置。
【請求項５０】
請求項４８に記載の投影スクリーン装置であって、前記成型されたプラスチックシートは、前記バンジーコネクタの終端部を受容する開口を含む、投影スクリーン装置。
【請求項５１】
投影スクリーン装置であって、
投影スクリーンおよび投影スクリーン枠体を含み、
前記投影スクリーンは、前記投影スクリーンの周囲を画成する第１のシートおよび前記第１のシートに結合された少なくとも１つの第２のシートを含み、前記第２のシートは、内側端から外側端へと増加する剛性を有し、前記投影スクリーンは、前記少なくとも１つの第２のシートに結合された少なくとも１つのコネクタを更に含み、
前記投影スクリーン枠体は、前記投影スクリーンを支持し、前記少なくとも１つのコネクタは、前記投影スクリーンを前記投影スクリーン枠体へ結合する、投影スクリーン装置。
【請求項５２】
請求項５１に記載の投影スクリーン装置であって、前記少なくとも１つの第２のシートはくさび形である、投影スクリーン装置。
【請求項５３】
請求項５１に記載の投影スクリーン装置であって、前記少なくとも１つの第２のシートは、前記投影スクリーンの前記少なくとも１つのコネクタの管を受容する、投影スクリーン装置。
【請求項５４】
請求項５１に記載の投影スクリーン装置であって、前記少なくとも１つの第２のシートは、前記投影スクリーンの前記少なくとも１つのコネクタの終端部を受容する開口を有する、投影スクリーン装置。
【請求項５５】
請求項５１に記載の投影スクリーン装置であって、第２のシートは、前記第１のシートに縫い付けられる、投影スクリーン装置。
【請求項５６】
請求項５１に記載の投影スクリーン装置であって、前記第１のシートは、布から作られ、前記第２のシート成型されたプラスチックである、投影スクリーン装置。
【請求項５７】
投影スクリーン装置であって、
投影スクリーンおよび投影スクリーン枠体を含み、
前記投影スクリーンは、前記投影スクリーンの周囲を画成する第１のシート、前記第１のシートに結合された少なくとも１つの第２のシート、および前記少なくとも１つの第２のシートの中に受容されたバンジーを含み、
前記投影スクリーン枠体は、前記投影スクリーンを支持し、前記少なくとも１つのバンジーは、前記投影スクリーンを前記投影スクリーン枠体に結合する、投影スクリーン装置。
【請求項５８】
請求項５７に記載の投影スクリーン装置であって、前記第２のシートは、前記バンジーを受容する管を含む、投影スクリーン装置。
【請求項５９】
請求項５７に記載の投影スクリーン装置であって、前記第２のシートは、前記バンジーの終端部を受容する開口を含む、投影スクリーン装置。
【請求項６０】
請求項５７に記載の投影スクリーン装置であって、前記第２のシートは、外側端から内側端に向かって剛性が減少する、投影スクリーン装置。
【請求項６１】
請求項５７に記載の投影スクリーン装置であって、前記バンジーは、前記第２のシートの中に受容された一対の終端部を含む、投影スクリーン装置。
【請求項６２】
投影スクリーン装置であって、
投影スクリーンおよび投影スクリーン枠体を含み、
前記投影スクリーンは、前記投影スクリーンの周囲を画成する第１のシート、少なくとも１つの管、および前記管内に受容されたコードを含み、
前記投影スクリーン枠体は、前記投影スクリーンを支持し、前記少なくとも１つのコードは、前記投影スクリーンを前記投影スクリーン枠体に結合する、投影スクリーン装置。
【請求項６３】
請求項６２に記載の投影スクリーン装置であって、前記管は、前記投影スクリーンのビュー面に対して略平行な軸を有する、投影スクリーン装置。
【請求項６４】
請求項６２に記載の投影スクリーン装置であって、前記投影スクリーンは他の管を含み、前記コードの終端部は前記管の中に受容される、投影スクリーン装置。
【請求項６５】
請求項６２に記載の投影スクリーン装置であって、前記投影スクリーンは、前記管を画成する成型されたプラスチックシートを含む、投影スクリーン装置。
【請求項６６】
請求項６５に記載の投影スクリーン装置であって、前記成型されたプラスチックシートは、第１および前記第１の端よりも剛性の高い第２の端を有し、前記管は、前記第１の端に配置される、投影スクリーン装置。
【請求項６７】
投影スクリーン装置であって、
投影スクリーンおよび投影スクリーン枠体を含み、
前記投影スクリーンは、前記投影スクリーンに投射された像を表示するよう構成されたビュー面および複数のコネクタを含み、
前記投影スクリーン枠体は、前記投影スクリーンを支持し、前記投影スクリーン枠体は、複数のポストを含み、前記複数のコネクタは、前記投影スクリーンを前記投影スクリーン枠体に結合するよう、前記複数のポストに接続する、投影スクリーン装置。
【請求項６８】
請求項６７に記載の投影スクリーン装置であって、前記投影スクリーン枠体は、外向きの周囲側面を含み、複数のポストは、前記外向きの周囲側面から延びる、投影スクリーン装置。
【請求項６９】
請求項６７に記載の投影スクリーン装置であって、前記複数のポストは、頭部および軸部を有する、投影スクリーン装置。
【請求項７０】
請求項６９に記載の投影スクリーン装置であって、前記投影スクリーンの複数のコネクタは、前記投影スクリーン枠体の前記複数のコネクタの前記軸部に巻き付けられる、投影スクリーン装置。
【請求項７１】
請求項６７に記載の投影スクリーン装置であって、前記複数のポストは、中央開口を有する、投影スクリーン装置。
【請求項７２】
投影スクリーン装置であって、
少なくとも１つの投影スクリーン、付属品、および投影スクリーン枠体を含み、
前記少なくとも１つの投影スクリーンは、前記投影スクリーン上に投影された像を表示するよう構成されたビュー面および複数のコネクタを含み、
前記付属品は少なくとも１つのコネクタを有し、
前記投影スクリーン枠体は、前記投影スクリーンを支持し、前記投影スクリーン枠体は複数のコネクタを含み、前記投影スクリーンの前記複数のコネクタは、前記投影スクリーンを前記投影スクリーン枠体に結合するよう、前記投影スクリーン枠体の前記複数のコネクタに接続し、前記投影スクリーン枠体の前記複数のコネクタのうち少なくとも１つは、前記少なくとも１つの投影スクリーンの少なくとも１つのコネクタ前記付属品の少なくとも１つのコネクタに接続する、投影スクリーン装置。
【請求項７３】
請求項７２に記載の投影スクリーン装置であって、前記付属品は、投影スクリーンである、投影スクリーン装置。
【請求項７４】
請求項７２に記載の投影スクリーン装置であって、ドレープを更に含み、前記付属品は、前記ドレープを前記投影スクリーン枠体に接続するドレープ支持部である、投影スクリーン装置。
【請求項７５】
請求項７２に記載の投影スクリーン装置であって、前記投影スクリーン枠体の前記コネクタは、頭部および軸部を含み、前記投影スクリーンの少なくとも１つのコネクタは、前記軸部に巻き付けられる、投影スクリーン装置。
【請求項７６】
請求項７５に記載の投影スクリーン装置であって、前記付属品の前記コネクタは、前記投影スクリーン枠体の前記コネクタの前記頭部を受容するスロットを含む、投影スクリーン装置。
【請求項７７】
投影スクリーン装置であって、
第１の投影スクリーン、第２の投影スクリーン、および投影スクリーン枠体を含み、
前記第１の投影スクリーンは、前記第１の投影スクリーンに投射された像を表示するよう構成されたビュー面を含み、
前記第２の投影スクリーンは、前記第２の投影スクリーンに投射された像を表示するよう構成されたビュー面を含み、
前記投影スクリーン枠体は、前記第１の投影スクリーンの前記ビュー面が前記第２の投影スクリーンの前記ビュー面とは反対を向くようにして、前記第１および第２の投影スクリーンを支持する、投影スクリーン装置。
【請求項７８】
請求項７７に記載の投影スクリーン装置であって、前記第１の投影スクリーンは、複数のコネクタを含み、前記第２の投影スクリーンは、複数のコネクタを含み、前記投影スクリーン枠体は、複数のコネクタを含み、前記投影スクリーン枠体の前記複数のコネクタのうち少なくとも１つは、前記第１の投影スクリーンの前記複数のコネクタのうちの少なくとも１つおよび前記第２の投影スクリーンの前記複数のコネクタのうちの少なくとも１つに接続される、投影スクリーン装置。
【請求項７９】
請求項７８に記載の投影スクリーン装置であって、前記投影スクリーン枠体の前記複数のコネクタは、ポストである、投影スクリーン装置。
【請求項８０】
請求項７８に記載の投影スクリーン装置であって、前記第１の投影スクリーンの前記複数のコネクタは、バンジーコネクタである、投影スクリーン装置。
【請求項８１】
請求項７８に記載の投影スクリーン装置であって、前記第１の投影スクリーンの前記複数のコネクタは、前記第２の投影スクリーンの前記複数のコネクタに重なる、投影スクリーン装置。
【請求項８２】
請求項７８に記載の投影スクリーン装置であって、前記投影スクリーン枠体は、外向きの周囲側面を含み、前記投影スクリーン枠体の前記複数のコネクタは、前記外向きの周囲側面に結合される、投影スクリーン装置。
【請求項８３】
投影スクリーン装置であって、
投影スクリーンおよび投影スクリーン枠体を含み、
前記投影スクリーンは、前記投影スクリーンに投影される像を表示するよう構成されたビュー面および均一な間隔で離間した複数のコネクタを含み、
前記投影スクリーン枠体は、前記投影スクリーンを支持し、前記投影スクリーンは複数のフレームモジュールを含み、各フレームモジュールは、前記均一な間隔の倍数である長さを有する、投影スクリーン装置。
【請求項８４】
請求項８３に記載の投影スクリーン装置であって、前記複数のフレームモジュールは、複数のコーナーモジュールおよび前記コーナーモジュール間に延在する複数の側方モジュールを含み、前記コーナーモジュールは長さを有し、前記側方モジュールは各々が前記コーナーモジュールの前記長さの倍数である長さを有する、投影スクリーン装置。
【請求項８５】
請求項８４に記載の投影スクリーン装置であって、前記コーナーモジュールの前記長さは、前記均一な間隔の少なくとも２倍である、投影スクリーン装置。
【請求項８６】
請求項８５に記載の投影スクリーン装置であって、前記側方モジュールの前記長さは、前記コーナーモジュールの前記長さの少なくとも２倍である、投影スクリーン装置。
【請求項８７】
請求項８３に記載の投影スクリーン装置であって、前記複数のフレームモジュールは、第１の長さを有する第１のフレームモジュールと、前記均一な間隔の少なくとも１倍だけ前記第１の長さよりも大きい第２の長さを有する第２のフレームモジュールとを含む、投影スクリーン装置。
【請求項８８】
投影スクリーン装置であって、
高さ、幅および厚さを有する投影スクリーンと、
前記投影スクリーンを支持する投影スクリーン枠体とを含み、
前記投影スクリーンの前記高さは、前記投影スクリーンの前記厚さよりも多いだけ、前記投影スクリーン枠体の前記高さの高さよりも大きい、投影スクリーン装置。
【請求項８９】
請求項８８に記載の投影スクリーン装置であって、前記投影スクリーン枠体は外向きの周囲側面および前記投影スクリーンを前記投影スクリーン枠体に結合する複数のコネクタを含み、前記複数のコネクタは前記投影スクリーン枠体の前記外向きの周囲側面に結合される、投影スクリーン装置。
【請求項９０】
請求項８８に記載の投影スクリーン装置であって、前記投影スクリーン枠体は、外向きの周囲側面を含み、前記投影スクリーンは、前記投影スクリーン枠体の前記外向きの周囲側面を越えて外向きに延びる成型されたプラスチックシートを含む、投影スクリーン装置。
【請求項９１】
請求項８８に記載の投影スクリーン装置であって、前記投影スクリーンは、シートおよび前記シートに対して略垂直に延びるコードを含む複数のコネクタを含む、投影スクリーン装置。
【請求項９２】
請求項８８に記載の投影スクリーン装置であって、前記投影スクリーン枠体は、高さを有する複数のコネクタを含み、前記投影スクリーンと前記投影スクリーン枠体の前記高さ
の差は、前記複数のコネクタの前記高さよりも大きい、投影スクリーン装置。
【請求項９３】
投影スクリーン装置であって、
投影スクリーン上に投射された像を表示するよう構成された投影スクリーンと、
前記投影スクリーンを支持する投影スクリーン枠体と、
前記投影スクリーン枠体を地面の上で支持する少なくとも１つの脚部と、
前記少なくとも１つの脚部を前記投影スクリーン枠体に結合する少なくとも１つのコネクタとを含み、前記脚部の外側面および前記コネクタの面のうちの少なくとも１つは、溝及び前記溝に受容される歯を含む接合部を画成する、投影スクリーン装置。
【請求項９４】
請求項９３に記載の投影スクリーン装置であって、前記少なくとも１つのコネクタは、ベースおよび前記ベースに旋回可能に結合された少なくとも１つのアーム部を含む、投影スクリーン装置。
【請求項９５】
請求項９４に記載の投影スクリーン装置であって、前記アームは、前記溝および前記歯のうちの少なくとも１つを含む、投影スクリーン装置。
【請求項９６】
請求項９３に記載の投影スクリーン装置であって、前記コネクタは、前記投影スクリーン枠体の一部および前記脚部の一部を受容する、投影スクリーン装置。
【請求項９７】
請求項９３に記載の投影スクリーン装置であって、前記コネクタは、前記歯を前記溝の中へ引き込む圧縮部材を含む、投影スクリーン装置。
【請求項９８】
投影スクリーン装置であって、
投影スクリーン上に投射された像を表示するよう構成された投影スクリーンと、
前記投影スクリーンを支持する投影スクリーン枠体と、
前記投影スクリーン枠体を地面の上に支持する少なくとも１つの脚部と、
前記少なくとも１つの脚部を前記投影スクリーン枠体に結合する少なくとも１つのコネクタとを含み、前記コネクタは、前記少なくとも１つの脚部の少なくとも一部に巻き付く、投影スクリーン装置。
【請求項９９】
請求項９８に記載の投影スクリーン装置であって、前記少なくとも１つのコネクタは、前記投影スクリーン枠体の少なくとも一部に巻き付く、投影スクリーン装置。
【請求項１００】
請求項９８に記載の投影スクリーン装置であって、前記少なくとも１つのコネクタは、ベースおよび前記ベースに旋回可能に結合された一対のアーム部を含む、投影スクリーン装置。
【請求項１０１】
請求項９８に記載の投影スクリーン装置であって、前記少なくとも１つの脚部と前記投影スクリーン枠体の間に弾性パッドが配置される、投影スクリーン装置。
【請求項１０２】
請求項９８に記載の投影スクリーン装置であって、前記コネクタは、前記少なくとも１つの脚部と投影スクリーン枠体を互いに引きつける圧縮部材を含む、投影スクリーン装置。
【請求項１０３】
投影スクリーン装置であって、
投影スクリーン上に投射される像を表示するよう構成された投影スクリーンと、
前記投影スクリーンを支持する投影スクリーン枠体と、
前記投影スクリーン枠体を地面の上に支持する少なくとも１つの脚部と、
ベースおよび一対のアーム部を有する少なくとも１つのコネクタとを含み、
前記ベースは、前記投影スクリーン枠体および前記脚部のうちの少なくとも１つの一部を受容し、前記一対のアーム部は、前記投影スクリーン枠体および前記脚部のうちの他方を前記アーム部の間に受容するよう協働する、投影スクリーン装置。
【請求項１０４】
請求項１０３に記載の投影スクリーン装置であって、前記投影スクリーン枠体は、その投影スクリーンを垂直使用位置に支持し、前記アーム部のうちの１つの少なくとも一部は、他方のアーム部の上に配置される、投影スクリーン装置。
【請求項１０５】
請求項１０３に記載の投影スクリーン装置であって、前記アームは、前記ベースに旋回可能に結合される、投影スクリーン装置。
【請求項１０６】
請求項１０３に記載の投影スクリーン装置であって、前記アームのうち少なくとも１つの少なくとも一部は、前記投影スクリーンと前記投影スクリーン枠体の間に配置される、投影スクリーン装置。
【請求項１０７】
請求項１０３に記載の投影スクリーン装置であって、前記アームの少なくとも一部は、前記投影スクリーン枠体の外部表面によって画成される凹部内に配置される、投影スクリーン装置。
【請求項１０８】
投影スクリーン装置であって、
投影スクリーンに投射される像を表示するよう構成された投影スクリーンおよび複数のコネクタと、
前記投影スクリーンの前記複数のコネクタに結合する複数のコネクタを含む前記投影スクリーンを支持する投影スクリーン枠体と、
少なくとも１つのドレープと、
前記投影スクリーン枠体の前記複数のコネクタのうち少なくとも１つに接続され、前記ドレープを支持する、少なくとも１つのドレープ支持部とを含む、投影スクリーン装置。
【請求項１０９】
請求項１０８に記載の投影スクリーン装置であって、前記ドレープ支持部と、前記投影スクリーン枠体の少なくとも１つのコネクタは磁気的に引きつけられる、投影スクリーン装置。
【請求項１１０】
請求項１０８に記載の投影スクリーン装置であって、前記ドレープ支持部は、それが接続されている前記コネクタの上に延びる、投影スクリーン装置。
【請求項１１１】
請求項１０８に記載の投影スクリーン装置であって、前記投影スクリーン枠体の複数のコネクタは、頭部および軸部を含み、前記ドレープ支持部は、少なくとも１つの頭部を受容する、投影スクリーン装置。
【請求項１１２】
請求項１０８に記載の投影スクリーン装置であって、前記ドレープは、前記投影スクリーンの下方に配置される、投影スクリーン装置。
【請求項１１３】
請求項１０８に記載の投影スクリーン装置であって、前記ドレープは、前記投影スクリーンの上方に配置される、投影スクリーン装置。
【請求項１１４】
請求項１０８に記載の投影スクリーン装置であって、前記ドレープは、前記投影スクリーンの横に配置される、投影スクリーン装置。
【請求項１１５】
投影スクリーン装置であって、
投影スクリーン、投影スクリーン枠体および少なくとも１つのフレームカプラを含み、
前記投影スクリーンは、前記投影スクリーン上に投射される像を表示するよう構成され、
前記投影スクリーン枠体は、前記投影スクリーンを支持し、前記投影スクリーン枠体は、長手軸を有する複数のフレームモジュールを含み、隣接するフレームモジュールは、その間に連結部を画成するよう協働し、
前記少なくとも１つのフレームカプラは、連結部を画成するよう協働する隣接するフレームモジュールを互いに結合し、前記少なくとも１つのカプラは、前記隣接するフレームモジュールを軸方向に互いに引っ張る、投影スクリーン装置。
【請求項１１６】
請求項１１５に記載の投影スクリーン装置であって、前記フレームカプラは、ねじ山付き部材を含む、投影スクリーン装置。
【請求項１１７】
請求項１１５に記載の投影スクリーン装置であって、前記フレームカプラは、ノブを含む、投影スクリーン装置。
【請求項１１８】
請求項１１５に記載の投影スクリーン装置であって、前記フレームモジュールは、複数のポストを含み、前記フレームモジュールは、前記フレームモジュールの前記複数のポストに平行なポストを含む、投影スクリーン装置。
【請求項１１９】
請求項１１５に記載の投影スクリーン装置であって、前記フレームカプラは、前記フレームモジュールのうち少なくとも１つに恒久的に結合される、投影スクリーン装置。
【請求項１２０】
投影スクリーン装置であって、
投影スクリーン、投影スクリーン枠体および少なくとも１つのフレームカプラを含み、
前記投影スクリーンは、前記投影スクリーン上に投影された像を表示するよう構成され、
前記投影スクリーン枠体は、前記投影スクリーンを支持し、前記投影スクリーン枠体は、その間に連結部を画成するよう協働する第１のおよび第２の隣接するフレームモジュールを含む複数のフレームモジュールを含み、前記第１の隣接するフレームモジュールは、スロットを含み、
前記少なくとも１つのフレームカプラは、連結部を画成するよう協働する隣接するフレームモジュールを互いに結合し、前記少なくとも１つのカプラは、前記スロット内に配置されたプレートと、前記第２の隣接するフレームモジュールに結合され、前記プレートのねじ山付き開口の中に配置されるねじ山付き部材とを含む、投影スクリーン装置。
【請求項１２１】
請求項１２０に記載の投影スクリーン装置であって、前記少なくとも１つのフレームモジュールは、前記ねじ山付き部材に結合されたノブを更に含む、投影スクリーン装置。
【請求項１２２】
請求項１２０に記載の投影スクリーン装置であって、複数のフレームモジュールは、少なくとも２つの長手方向に延びる部材および少なくとも２つの横方向に延びる部材を含み、前記横方向に延びる部材は前記スロットを画成するよう協働する、投影スクリーン装置。
【請求項１２３】
請求項１２０に記載の投影スクリーン装置であって、前記ねじ山付き部材は、前記第２の隣接するフレームモジュールに恒久的に結合される、投影スクリーン装置。
【請求項１２４】
請求項１２０に記載の投影スクリーン装置であって、前記第２の隣接するフレームモジュールは、フレームカプラのプレートを受容するような寸法とされたスロットを含む、投影スクリーン装置。
【請求項１２５】
投影スクリーン装置であって、
投影スクリーンおよび投影スクリーン枠体を含み、
前記投影スクリーンは前記投影スクリーン上に投射される像を表示するよう構成され、
前記投影スクリーン枠体は、前記投影スクリーンを支持し、前記投影スクリーンは、互いに結合された第１および第２の隣接するフレームモジュールを含み、その間に連結部を画成するよう協働する複数のフレームモジュールを含み、前記第１および第２の隣接するフレームモジュールは長手軸を有し、前記第１の隣接するフレームモジュールは、前記第１の隣接するフレームモジュールの前記軸に対して鋭角を成す面を有する軸方向に延びる突起を含み、前記第２の隣接するフレームモジュールは、前記第１の隣接するフレームモジュールの前記軸方向に延びる突起を受容する凹部を含み、前記凹部は、前記軸方向に延びる突起の前記表面と接触する面によって画成される、投影スクリーン装置。
【請求項１２６】
請求項１２５に記載の投影スクリーン装置であって、前記第１の隣接するフレームモジュールが画成する前記面は円錐状である、投影スクリーン装置。
【請求項１２７】
請求項１２５に記載の投影スクリーン装置であって、前記第１の隣接するフレームモジュールは、前記ポストと前記面の間の開口を通って延びるポストを含む、投影スクリーン装置。
【請求項１２８】
請求項１２５に記載の投影スクリーン装置であって、前記第２の隣接するフレームモジュールは、前記第１の隣接するフレームモジュールの前記突起内に受容される突起を含む、投影スクリーン装置。
【請求項１２９】
請求項１２５に記載の投影スクリーン装置であって、前記第２の隣接するフレームモジュールの前記突起は、前記第１の隣接するフレームモジュールから延びるポストを受容する凹部を含む、投影スクリーン装置。
【請求項１３０】
投影スクリーン装置であって、
投影スクリーンおよび投影スクリーン枠体を含み、
前記投影スクリーンは、前記投影スクリーン上に投射される像を表示するよう構成され、前記投影スクリーンは上部、下部、および前記上部と下部の間に延びる側部を含み、
前記投影スクリーン枠体は、前記投影スクリーンを垂直位置に支持し、前記投影スクリーン枠体は、前記投影スクリーンの前記上部に隣接して配置される上部、前記投影スクリーンの前記下部に隣接して配置される下部、および前記投影スクリーンの前記上部と前記下部の間に延びる側部を有し、前記投影スクリーン枠体の前記側部は、前記投影スクリーンの前記側部に隣接して配置され、前記投影スクリーン枠体の前記上部は、弾性足部を有する、投影スクリーン装置。
【請求項１３１】
請求項１３０に記載の投影スクリーン装置であって、前記投影スクリーン枠体の前記下部は、弾性足部を有する、投影スクリーン装置。
【請求項１３２】
請求項１３１に記載の投影スクリーン装置であって、前記投影スクリーン枠体の前記下部の前記弾性足部は、垂直に上向きに延びる、投影スクリーン装置。
【請求項１３３】
請求項１３１に記載の投影スクリーン装置であって、前記投影スクリーン枠体の前記下部の前記弾性足部は、前記投影スクリーン枠体の前記上部の前記弾性足部とは反対方向に延びる、投影スクリーン装置。
【請求項１３４】
請求項１３０に記載の投影スクリーン装置であって、前記投影スクリーン枠体の前記側部は、弾性足部を有する、投影スクリーン装置。
【請求項１３５】
請求項１３０に記載の投影スクリーン装置であって、前記投影スクリーン枠体を地面の上に支持する少なくとも１つの脚部を更に含み、前記投影スクリーン枠体の前記側部の前記弾性足部うちの少なくとも１つは、前記脚部と前記側部の間に配置される、投影スクリーン装置。
【請求項１３６】
投影スクリーン装置であって、
投影スクリーン上に投射される像を表示するよう構成された投影スクリーンと、
前記投影スクリーンを支持する投影スクリーン枠体と、
地面上に前記投影スクリーン枠体を支持する少なくとも１つの脚部とを含み、前記少なくとも１つの脚部は、水平部材および前記水平部材と互いに交換のきく垂直部材を含む複数のフレームモジュールを有する、投影スクリーン装置。
【請求項１３７】
請求項１３６に記載の投影スクリーン装置であって、前記脚部は、嵌合接続部によって互いに結合される隣接するフレームモジュールによって画成される複数の連結部を含み、前記複数のフレームモジュールの嵌合接続部の総数は、前記連結部の総数の２倍よりも多い、投影スクリーン装置。
【請求項１３８】
請求項１３６に記載の投影スクリーン装置であって、前記水平部材は、接続部を有する第１の端および前記第１の端と嵌合可能な接続部を有する第２の終端部を含み、前記垂直部材は、前記水平部材の前記第２の終端部と同一の第１の端を含む、投影スクリーン装置。
【請求項１３９】
請求項１３６に記載の投影スクリーン装置であって、前記水平部材は、
接続部を有する第１の端および前記第１の端と嵌合可能な接続部を有する第２の終端部を含み、前記垂直部材は、前記水平部材の前記第２の終端部と嵌合可能な第１の端を含む、投影スクリーン装置。
【請求項１４０】
請求項１３６に記載の投影スクリーン装置であって、前記水平部材は、地面の上に支持される少なくとも１つの弾性足部を含み、前記垂直部材は、前記水平部材の前記弾性足部と同一の少なくとも１つの弾性足部を含む、投影スクリーン装置。
【請求項１４１】
投影スクリーン装置であって、
投影スクリーン、投影スクリーン枠体、および補剛部を含み、
前記投影スクリーンは、前記投影スクリーン上に投射される像を表示するよう構成され、
前記投影スクリーン枠体は前記投影スクリーンを支持し、前記投影スクリーンは、カプラによって互いに結合される第１および第２の隣接するフレームモジュールを含み、その間に連結部を画成するよう協働する複数のフレームモジュールを含み、
前記補剛部は、前記第１および第２の隣接する部材を更に互いに結合するよう、前記連結部にまたがって延びる、投影スクリーン装置。
【請求項１４２】
請求項１４１に記載の投影スクリーン装置であって、前記補剛部は、複数のねじ山付き部材を含み、前記隣接するフレームモジュールは、少なくとも１つのねじ山付き部材を受容する少なくとも１つのねじ山付き凹部を含む、投影スクリーン装置。
【請求項１４３】
請求項１４１に記載の投影スクリーン装置であって、前記隣接するフレームモジュールは、前記投影スクリーンと前記補剛部の間に直接配置される、投影スクリーン装置。
【請求項１４４】
請求項１４１に記載の投影スクリーン装置であって、補剛部材は、少なくとも１つのね
じ山付き部材および前記ねじ山付き部材に結合されたノブを含む、投影スクリーン装置。
【請求項１４５】
請求項１４１に記載の投影スクリーン装置であって、投影スクリーン枠体は、第１の管および前記第１の管の下に配置された第２の管を有する上部を含み、前記補剛部は、前記第１の管に結合され、前記第２の管から離間している、投影スクリーン装置。
【請求項１４６】
投影スクリーン装置を構築する方法であって、
少なくとも１つの予め製造された投影スクリーンおよび複数の予め製造されたフレームモジュールを受け取ることと、
前記少なくとも１つの予め製造された投影スクリーンに対応する投影スクリーン枠体を構築するのに十分な複数の予め製造されたフレームモジュールのサブセットを選択することと、
前記複数の予め製造されたフレームモジュールのサブセットを用いて前記投影スクリーン枠体を構築することと、
前記予め製造された投影スクリーンを前記投影スクリーン枠体に結合することとを含む、方法。
【請求項１４７】
請求項１４６に記載の方法であって、
前記受け取ることにおいて、受け取られた前記予め製造された投影スクリーンよりも大きい少なくとも第２の予め製造された投影スクリーンを受け取ることをさらに含み、
前記複数の予め製造されたフレームモジュールのサブセットは、前記第２の予め製造された投影スクリーンに対応する投影スクリーン枠体を構築するのに十分でない、方法。
【請求項１４８】
請求項１４６に記載の方法であって、
前記サブセットのために選択された前記予め製造されたフレームモジュールのうちの１つを損傷することと、前記損傷した予め製造されたフレームモジュールを前記サブセットのために選択されなかった予め製造されたフレームモジュールと交換することとをさらに含む、方法。
【請求項１４９】
請求項１４６に記載の方法であって、前記予め製造された投影スクリーンおよび複数の予め製造されたフレームモジュールは、前記受け取ることにおいて一緒に受け取られる、方法。
【請求項１５０】
請求項１４６に記載の方法であって、前記予め製造された投影スクリーンは、複数のコネクタを含み、前記複数のフレームモジュールは前記予め製造された投影スクリーンと結合するよう構成されたコネクタを含み、前記複数のフレームモジュールの前記コネクタの総数は、少なくとも１つの投影スクリーンの前記コネクタの総数よりも多い、方法。
【請求項１５１】
投影スクリーン装置の構築を容易とする方法であって、
投影スクリーンおよび複数の予め製造されたフレームモジュールを受け取ることと、
前記少なくとも１つの予め製造された投影スクリーンに対応する投影スクリーン枠体を構築するのに十分な前記複数の予め製造されたフレームモジュールのサブセットを選択することと、
前記複数の予め製造されたフレームモジュールのサブセットを他の者に提供することと、
前記予め製造されたフレームモジュールから前記者へ、前記投影スクリーン枠体の前記構築に関する取扱説明を提供することとを含む、方法。
【請求項１５２】
請求項１５１に記載の方法であって、前記投影スクリーン枠体を支持するための前記予め製造されたフレームモジュールから脚部の前記構築に関する取扱説明を提供することを
更に含み、前記脚部を構築するための前記取扱説明は、前記投影スクリーン枠体の構築に使用可能な前記予め製造されたフレームモジュールへの参照情報を含む、方法。
【請求項１５３】
請求項１５１に記載の方法であって、前記取扱説明は、前記予め製造されたフレームモジュールを用いて異なった寸法の枠体を構築するための手引きを含む、方法。
【請求項１５４】
投影スクリーン装置の構築を容易とする方法であって、
使用中に前記投影スクリーンを支持する所定の寸法の投影スクリーン枠体を必要とする投影スクリーンを提供することと、
前記投影スクリーン枠体を構築するのに必要な投影フレームモジュールの数よりも多い複数のフレームモジュールを提供することと、
前記投影スクリーンを他の者に送ることと、
使用中に前記投影スクリーンを支持するために前記投影スクリーン枠体の構築に使用する際に前記者に前記複数のフレームモジュールを送ることとを含む、方法。
【請求項１５５】
請求項１５４に記載の方法であって、前記前記投影スクリーンを提供することは、使用中に前記複数の投影スクリーンを支持するために所定の寸法の複数の投影スクリーン枠体を必要とする複数の投影スクリーンを提供することを含み、前記複数のフレームモジュールを提供することは、同時に前記複数の投影スクリーン枠体の全てを構築するのに必要とされるには不十分な数の投影フレームモジュールを提供する、方法。
【請求項１５６】
請求項１５４に記載の方法であって、前記投影スクリーンは、複数のコネクタを含み、前記複数のフレームモジュールは、前記投影スクリーンの複数のコネクタと接続するための複数の接続を含み、前記複数の投影スクリーン枠体モジュールのコネクタの総数は、前記投影スクリーンのコネクタの総数よりも多い、方法。
【請求項１５７】
請求項１５４に記載の方法であって、前記前記投影スクリーンを提供することにおいて提供される前記投影スクリーンフォーマットとは異なるスクリーンフォーマットを有する第２の投影スクリーンを提供することを更に含む、方法。
【請求項１５８】
請求項１５７に記載の方法であって、前記第２の投影スクリーンのための投影スクリーン枠体を構築するために前記複数のフレームモジュールを使用する前記者に取扱説明を提供することを更に含む、方法。
【請求項１５９】
投影スクリーン装置の構築を容易とする方法であって、
使用中に前記複数の投影スクリーンを支持するための所定の寸法の複数の投影スクリーン枠体を必要とする複数の投影スクリーンを収集することと、
一度に前記複数の投影スクリーン枠体を構築するのに必要な投影スクリーン枠体モジュールの数よりも少ない複数の投影スクリーン枠体モジュールを収集することと、
前記複数の投影スクリーンを他の者に提供することと、
前記複数の投影スクリーン枠体のうちの少なくとも１つを構築するのに使用されるよう前記者へ前記複数のフレームモジュールを提供することとを含む、方法。
【請求項１６０】
請求項１５９に記載の方法であって、
投影スクリーン枠体を構築するために前記提供された投影スクリーン枠体モジュールのサブセットを選択することに関する取扱説明を提供することを更に含む、方法。
【請求項１６１】
請求項１５９に記載の方法であって、前記提供された複数の投影スクリーンは、複数のコネクタを含み、前記提供された複数の投影スクリーン枠体モジュールは前記提供された投影スクリーンを投影スクリーン枠体上に支持するためのコネクタを含み、前記提供され
た複数の前記提供された投影スクリーンのコネクタの総数は、前記提供された複数の投影スクリーン枠体モジュールのコネクタの総数よりも多い、方法。
【請求項１６２】
請求項１５９に記載の方法であって、前記提供された投影スクリーンのうち最大のものは、前記最大の提供された投影スクリーンを支持するための十分な寸法の枠体を構築するために第１の数のフレームモジュールを必要とし、提供されるフレームモジュールの総数は、前記第１の数よりも多い、方法。
【請求項１６３】
請求項１５９に記載の方法であって、前記複数の投影スクリーンは、少なくとも第１の投影スクリーンおよび前記第１の投影スクリーンよりも少なくとも１０％大きい第２の投影スクリーンを含む、方法。
【請求項１６４】
投影スクリーン装置であって、
前記投影スクリーン上に投射された像を表示するよう構成された投影スクリーンと、
前記投影スクリーンを支持する複数のフレームモジュールを含む投影スクリーン枠体と、
地面に前記投影スクリーン枠体を支持する複数のフレームモジュールを含む少なくとも１つの脚部とを含み、前記少なくとも１つの脚部の前記フレームモジュールのうち少なくとも１つは、前記投影スクリーン枠体の前記複数のフレームモジュールと互いに交換可能である、投影スクリーン装置。
【請求項１６５】
請求項１６４に記載の投影スクリーン装置であって、前記投影スクリーン枠体の前記複数のフレームモジュールのうち少なくとも１つは、前記脚部の前記複数のフレームモジュールのうち少なくとも１つと同一である、投影スクリーン装置。
【請求項１６６】
請求項１６４に記載の投影スクリーン装置であって、前記投影スクリーン枠体の前記複数のフレームモジュールは、前記投影スクリーン枠体の隣接するフレームモジュールを互いに結合するよう協働する雄コネクタおよび雌接続を含み、前記脚部の前記複数のフレームモジュールは、前記投影スクリーン枠体の前記複数のフレームモジュールの前記雄コネクタと同一の雄コネクタを含む、投影スクリーン装置。
【請求項１６７】
請求項１６４に記載の投影スクリーン装置であって、前記投影スクリーン枠体の複数のフレームモジュールの各々は一対のコネクタを含み、前記一対のコネクタの各々は前記投影スクリーン枠体の隣接するフレームモジュールのコネクタに隣接して配置され、前記少なくとも１つの脚部の前記複数のフレームモジュールの各々は、一対のコネクタを含み、前記一対のコネクタのうちの少なくとも１つは、前記少なくとも１つの脚部の前記複数のフレームモジュールの他のコネクタに隣接して配置されていない、投影スクリーン装置。
【請求項１６８】
請求項１６７に記載の投影スクリーン装置であって、前記投影スクリーンは、複数のコネクタを含み、前記複数のフレームモジュールは前記投影スクリーン枠体の前記複数のコネクタに結合される複数のコネクタを含み、前記脚部の前記複数のフレームモジュールは、前記投影スクリーンのコネクタに結合されるよう構成されたコネクタを含む、投影スクリーン装置。
【発明の詳細な説明】
【技術分野】
【０００１】
＜関連する出願への相互参照＞
本願は、その開示全体がここに明示的に組み入れられる「Ｔｅｎｓｉｏｎｅｄ  Ｐｒｏｊｅｃｔｉｏｎ  Ｓｃｒｅｅｎ」なる名称の２００９年６月１２日出願のＲｉｓｈｅｒによる米国仮特許出願第６１,１８６,７９６号に基づき優先権を主張する。
【０００２】
＜技術分野＞
本開示は、投影スクリーン組立体に関し、より特定的には、枠体に張力によって保持されるスクリーンを有する投影スクリーン組立体に関する。
【背景技術】
【０００３】
投影スクリーン組立体は、典型的には、プロジェクタといった源から投射される像を表示するために提供される。像は、映画又は他の形式のエンターテインメントを描写することが多いが、広告等の他の像を描写することもできる。
【発明の概要】
【０００４】
本開示によれば、第１の投影スクリーン上に投射される像を表示するように構成される第１のビュー面を有する第１の投影スクリーンおよび第２の投影スクリーン上に投射される像を表示するように構成される第２のビュー面を有する第２の投影スクリーンを含む複数の投影スクリーンを含む投影スクリーンキットが提供される。キットは、さらに、前記複数の前記複数の投影スクリーンの各々のための組立枠体を画成するよう組み立てられるように構成される複数のフレームモジュールを含む。各組立枠体は、前記複数の投影スクリーンのうちの少なくとも１つを支持するような寸法とされる。前記複数の投影スクリーンのための各組立枠体は、前記複数の投影スクリーンのうちの少なくとも１つを支持するために多数のフレームモジュールを必要とする。前記キット内のフレームモジュールの総数は、一度に前記複数の組立枠体の全てを組み立てるのに必要とされるフレームモジュールの合計よりも少ない。
【０００５】
また、本開示によれば、投影スクリーンに投影された像を表示するよう構成されたビュー面および複数のコネクタを含む投影スクリーンと、外向きの周囲側面および前記外向きの周囲側面に結合される複数のコネクタを有する投影スクリーン枠体とを含む、投影スクリーン装置が提供される。前記投影スクリーンの前記複数のコネクタは、前記投影スクリーンを前記投影スクリーン枠体に接続するよう、前記投影スクリーン枠体の複数のコネクタに接続する。
【０００６】
本開示の他の態様によれば、前記投影スクリーン上に投影された像を表示するよう構成されたビュー面および複数のコネクタを含む投影スクリーンと、前記投影スクリーンを支持する前記投影スクリーン枠体とを含む投影スクリーン装置が提供される。前記投影スクリーンは複数のフレームモジュールを含む。隣接するフレームモジュールはその間に連結部を画成するよう互いに結合される。各フレームモジュールは、第１の端と前記第１の端から時計回りに配置された第２の端とを含む。前記投影スクリーン枠体は、各フレームモジュールの前記第１の端に隣接する各フレームモジュールに結合される第１のコネクタおよび各フレームモジュールの前記第２の端に隣接する各フレームモジュールに結合される第２のコネクタを含む複数のコネクタを更に含む。前記第１のコネクタの全ては、それが結合されている前記フレームモジュールの前記第１の端から同じ距離に配置される。前記第２のコネクタの全ては、それが結合されている前記フレームモジュールの前記第２の端から同じ距離に配置される。
【０００７】
本開示の他の態様によれば、前記投影スクリーンに投影された像を表示するよう構成されたビュー面と、前記投影スクリーンの周囲から延びる複数のバンジーコネクタとを含む投影スクリーンと、前記前記投影スクリーンを支持する投影スクリーン枠体とを含む投影スクリーン装置が提供される。前記バンジーコネクタは前記投影スクリーン枠体へ延びる。
【０００８】
本開示の他の態様によれば、前記投影スクリーンに投影された像を表示するよう構成されたビュー面と、前記投影スクリーンの周囲から延びる複数のループコネクタとを含む前記投影スクリーンと、複数のポストを含む前記投影スクリーン枠体とを含む、投影スクリーン装置が提供される。前記投影スクリーンの前記ループコネクタは、前記投影スクリーンを支持するよう前記複数のポストの回りに延びる。
【０００９】
本開示の他の態様によれば、投影スクリーンに投影された像を表示するよう構成されたビュー面および複数のバンジーコネクタを含む前記投影スクリーンを含む投影スクリーン装置が提供される。各バンジーコネクタは少なくとも１つの終端部を有する。前記投影スクリーンは、前記投影スクリーンを支持する前記投影スクリーン枠体を更に含む。前記バンジーコネクタは前記投影スクリーン枠体へ延びる。
【００１０】
本開示の他の態様によれば、投影スクリーンに投影された像を表示するよう構成されたビュー面および前記投影スクリーンに恒久的に結合された複数のバンジーコネクタを含む投影スクリーンと、前記投影スクリーンを支持する投影スクリーン枠体とを含む投影スクリーン装置が提供される。前記バンジーコネクタは、前記投影スクリーンを前記投影スクリーン枠体に結合する。
【００１１】
本開示の他の態様によれば、投影スクリーンの周囲を画成する第１のシートと、前記第１のシートに結合された少なくとも１つの成型されたプラスチックシートと、前記少なくとも１つの成型されたプラスチックシートに結合された少なくとも１つのコネクタとを含む投影スクリーンと、前記投影スクリーンを支持する前記投影スクリーン枠体とを含む投影スクリーン装置が提供される。前記少なくとも１つのコネクタは、前記投影スクリーンを前記投影スクリーン枠体に結合する。
【００１２】
本開示の他の態様によれば、投影スクリーンの周囲を画成する第１のシートおよび前記第１のシートに結合された少なくとも１つの第２のシートを含む投影スクリーンを含む投影スクリーン装置が提供される。前記第２のシートは、内側端から外側端へと増加する剛性を有する。前記投影スクリーンは、前記少なくとも１つの第２のシートに結合された少なくとも１つのコネクタを更に含む。前記投影スクリーン装置は、前記投影スクリーンを支持する投影スクリーン枠体を更に含む。前記少なくとも１つのコネクタは、前記投影スクリーンを前記投影スクリーン枠体へ結合する。
【００１３】
本開示の他の態様によれば、投影スクリーンの周囲を画成する第１のシート、前記第１のシートに結合された少なくとも１つの第２のシート、および前記少なくとも１つの第２のシートの中に受容されたバンジーを含む投影スクリーンと、前記投影スクリーンを支持する投影スクリーン枠体とを含む、投影スクリーン装置が提供される。前記少なくとも１つのバンジーは、前記投影スクリーンを前記投影スクリーン枠体に結合する。
【００１４】
本開示の他の態様によれば、投影スクリーンの周囲を画成する第１のシート、少なくとも１つの管、および前記管内に受容されたコードを含む投影スクリーンと、前記投影スクリーンを支持する投影スクリーン枠体とを含む投影スクリーン装置が提供される。前記少なくとも１つのコードは、前記投影スクリーンを前記投影スクリーン枠体に結合する。
【００１５】
本開示の他の態様によれば、投影スクリーンに投射された像を表示するよう構成されたビュー面および複数のコネクタを含む投影スクリーンと、前記投影スクリーンを支持する投影スクリーン枠体とを含む投影スクリーン装置が提供される。前記投影スクリーン枠体は、複数のポストを含む。前記複数のコネクタは、前記投影スクリーンを前記投影スクリーン枠体に結合するよう、前記複数のポストに接続する。
【００１６】
本開示の他の態様によれば、投影スクリーン上に投影された像を表示するよう構成されたビュー面および複数のコネクタを含む少なくとも１つの投影スクリーン、少なくとも１つのコネクタを有する付属品、および前記投影スクリーンを支持する投影スクリーン枠体を含む、投影スクリーン装置が提供される。前記投影スクリーン枠体は複数のコネクタを含む。前記投影スクリーンの前記複数のコネクタは、前記投影スクリーンを前記投影スクリーン枠体に結合するよう、前記投影スクリーン枠体の前記複数のコネクタに接続する。前記投影スクリーン枠体の前記複数のコネクタのうち少なくとも１つは、前記少なくとも１つの投影スクリーンの少なくとも１つのコネクタ前記付属品の少なくとも１つのコネクタに接続する。
【００１７】
本開示の他の態様によれば、第１の投影スクリーン、第２の投影スクリーン、および投影スクリーン枠体を含み、前記第１の投影スクリーンは、前記第１の投影スクリーンに投射された像を表示するよう構成されたビュー面を含み、前記第２の投影スクリーンは、前記第２の投影スクリーンに投射された像を表示するよう構成されたビュー面を含み、前記投影スクリーン枠体は、前記第１の投影スクリーンの前記ビュー面が前記第２の投影スクリーンの前記ビュー面とは反対を向くようにして、前記第１および第２の投影スクリーンを支持する、投影スクリーン装置が提供される。
【００１８】
本開示の他の態様によれば、前記投影スクリーンに投影される像を表示するよう構成されたビュー面および均一な間隔で離間した複数のコネクタを含む、前記投影スクリーンと、前記投影スクリーンを支持する前記投影スクリーン枠体とを含む、投影スクリーン装置が提供される。前記投影スクリーンは複数のフレームモジュールを含む。各フレームモジュールは、前記均一な間隔の倍数である長さを有する。
【００１９】
本開示の他の態様によれば、高さ、幅および厚さを有する投影スクリーンと、前記投影スクリーンを支持する投影スクリーン枠体とを含む、投影スクリーン装置が提供される。前記投影スクリーンの前記高さは、前記投影スクリーンの前記厚さよりも多いだけ、前記投影スクリーン枠体の前記高さの高さよりも大きい。
【００２０】
本開示の他の態様によれば、投影スクリーン上に投射された像を表示するよう構成された投影スクリーンと、前記投影スクリーンを支持する投影スクリーン枠体と、前記投影スクリーン枠体を地面の上で支持する少なくとも１つの脚部と、前記少なくとも１つの脚部を前記投影スクリーン枠体に結合する少なくとも１つのコネクタとを含む、投影スクリーン装置が提供される。前記脚部の外側面および前記コネクタの面のうちの少なくとも１つは、溝及び前記溝に受容される歯を含む接合部を画成する。
【００２１】
本開示の他の態様によれば、投影スクリーン上に投射された像を表示するよう構成された投影スクリーンと、前記投影スクリーンを支持する投影スクリーン枠体と、前記投影スクリーン枠体を地面の上に支持する少なくとも１つの脚部と、前記少なくとも１つの脚部を前記投影スクリーン枠体に結合する少なくとも１つのコネクタとを含む、投影スクリーン装置が提供される。前記コネクタは、前記少なくとも１つの脚部の少なくとも一部に巻き付く。
【００２２】
本開示の他の態様によれば、投影スクリーン上に投射される像を表示するよう構成された投影スクリーンと、前記投影スクリーンを支持する投影スクリーン枠体と、前記投影スクリーン枠体を地面の上に支持する少なくとも１つの脚部と、ベースおよび一対のアーム部を有する少なくとも１つのコネクタとを含む、投影スクリーン装置が提供される。前記ベースは、前記投影スクリーン枠体および前記脚部のうちの少なくとも１つの一部を受容し、前記一対のアーム部は、前記投影スクリーン枠体および前記脚部のうちの他方を前記アーム部の間に受容するよう協働する。
【００２３】
本開示の他の態様によれば、投影スクリーンに投射される像を表示するよう構成された投影スクリーンおよび複数のコネクタおよび前記投影スクリーンを支持する投影スクリーン枠体を含む投影スクリーン装置が提供される。前記投影スクリーンは、前記投影スクリーンの前記複数のコネクタを結合する複数のコネクタを含む。投影スクリーン装置はさらに、少なくとも１つのドレープと、前記投影スクリーン枠体の前記複数のコネクタのうち少なくとも１つに接続され、前記ドレープを支持する、少なくとも１つのドレープ支持部とを含む。
【００２４】
本開示の他の態様によれば、前記投影スクリーン上に投射される像を表示するよう構成された投影スクリーンと、前記投影スクリーンを支持する投影スクリーン枠体とを含む投影スクリーン装置が提供される。前記投影スクリーン枠体は、長手軸を有する複数のフレームモジュールを含む。隣接するフレームモジュールは、その間に連結部を画成するよう協働する。投影スクリーン装置は、連結部を画成するよう協働する隣接するフレームモジュールを互いに結合する少なくとも１つのフレームカプラを更に含む。前記少なくとも１つのカプラは、前記隣接するフレームモジュールを軸方向に互いに引っ張る。
【００２５】
本開示の他の態様によれば、前記投影スクリーン上に投影された像を表示するよう構成された投影スクリーンと、前記投影スクリーンを支持する投影スクリーン枠体とを含む投影スクリーン装置が提供される。前記投影スクリーン枠体は、その間に連結部を画成するよう協働する第１のおよび第２の隣接するフレームモジュールを含む複数のフレームモジュールを含む。前記第１の隣接するフレームモジュールは、スロットを含む。前記投影スクリーン装置は、連結部を画成するよう協働する隣接するフレームモジュールを互いに結合する前記少なくとも１つのフレームカプラを更に含む。前記少なくとも１つのカプラは、前記スロット内に配置されたプレートと、前記第２の隣接するフレームモジュールに結合され、前記プレートのねじ山付き開口の中に配置されるねじ山付き部材とを含む。
【００２６】
本開示の他の態様によれば、投影スクリーン上に投射される像を表示するよう構成された投影スクリーンと、前記投影スクリーンを支持する投影スクリーン枠体とを含む投影スクリーン装置が提供される。前記投影スクリーンは、互いに結合された第１および第２の隣接するフレームモジュールを含み、その間に連結部を画成するよう協働する複数のフレームモジュールを含む。前記第１および第２の隣接するフレームモジュールは長手軸を有する。前記第１の隣接するフレームモジュールは、前記第１の隣接するフレームモジュールの前記軸に対して鋭角を成す面を有する軸方向に延びる突起を含む。前記第２の隣接するフレームモジュールは、前記第１の隣接するフレームモジュールの前記軸方向に延びる突起を受容する凹部を含む。前記凹部は、前記軸方向に延びる突起の前記表面と接触する面によって画成される。
【００２７】
本開示の他の態様によれば、投影スクリーン上に投射される像を表示するよう構成された投影スクリーンを含む投影スクリーン装置が提供される。前記投影スクリーンは上部、下部、および前記上部と下部の間に延びる側部を含む。前記投影スクリーン装置は、前記投影スクリーンを垂直位置に支持する投影スクリーン枠体を更に含む。前記投影スクリーン枠体は、前記投影スクリーンの前記上部に隣接して配置される上部、前記投影スクリー
ンの前記下部に隣接して配置される下部、および前記投影スクリーンの前記上部と前記下部の間に延びる側部を有する。前記投影スクリーン枠体の前記側部は、前記投影スクリーンの前記側部に隣接して配置される。前記投影スクリーン枠体の前記上部は、弾性足部を有する。
【００２８】
本開示の他の態様によれば、投影スクリーン上に投射される像を表示するよう構成された投影スクリーンと、前記投影スクリーンを支持する投影スクリーン枠体と、地面上に前記投影スクリーン枠体を支持する少なくとも１つの脚部とを含む、投影スクリーン装置が提供される。前記少なくとも１つの脚部は、水平部材および前記水平部材と互いに交換のきく垂直部材を含む複数のフレームモジュールを有する。
【００２９】
本開示の他の態様によれば、投影スクリーン上に投射される像を表示するよう構成された投影スクリーンと、前記投影スクリーンを支持する投影スクリーン枠体とを含む、投影スクリーン装置が提供される。前記投影スクリーンは、カプラによって互いに結合される第１および第２の隣接するフレームモジュールを含み、その間に連結部を画成するよう協働する複数のフレームモジュールを含む。前記投影スクリーン装置は、前記第１および第２の隣接する部材を更に互いに結合するよう、前記連結部にまたがって延びる補剛部を更に含む。
【００３０】
本開示の他の態様によれば、投影スクリーン上に投射された像を表示するよう構成された投影スクリーンと、前記投影スクリーンを支持する複数のフレームモジュールを含む投影スクリーン枠体と、地面に前記投影スクリーン枠体を支持する複数のフレームモジュールを含む少なくとも１つの脚部とを含む、投影スクリーン装置が提供される。前記少なくとも１つの脚部の前記フレームモジュールのうち少なくとも１つは、前記投影スクリーン枠体の前記複数のフレームモジュールと互いに交換可能である。
【００３１】
本開示の他の態様によれば、投影スクリーン装置を構築する方法が提供される。方法は、少なくとも１つの予め製造された投影スクリーンおよび複数の予め製造されたフレームモジュールを受け取ることと、前記少なくとも１つの予め製造された投影スクリーンに対応する投影スクリーン枠体を構築するのに十分な複数の予め製造されたフレームモジュールのサブセットを選択することと、前記複数の予め製造されたフレームモジュールのサブセットを用いて前記投影スクリーン枠体を構築することと、前記予め製造された投影スクリーンを前記投影スクリーン枠体に結合することとを含む。
【００３２】
本開示の他の態様によれば、投影スクリーン装置の構築を容易とする方法が提供される。前記方法は、投影スクリーンおよび複数の予め製造されたフレームモジュールを受け取ることと、前記少なくとも１つの予め製造された投影スクリーンに対応する投影スクリーン枠体を構築するのに十分な前記複数の予め製造されたフレームモジュールのサブセットを選択することと、前記複数の予め製造されたフレームモジュールのサブセットを他の者に提供することと、前記予め製造されたフレームモジュールから前記者へ、前記投影スクリーン枠体の前記構築に関する取扱説明を提供することとを含む。
【００３３】
本開示の他の態様によれば、投影スクリーン装置の構築を容易とする方法が提供される。前記方法は、使用中に前記投影スクリーンを支持する所定の寸法の投影スクリーン枠体を必要とする投影スクリーンを提供することと、前記投影スクリーン枠体を構築するのに必要な投影フレームモジュールの数よりも多い複数のフレームモジュールを提供することと、前記投影スクリーンを他の者に送ることと、使用中に前記投影スクリーンを支持するために前記投影スクリーン枠体の構築に使用する際に前記者に前記複数のフレームモジュールを送ることとを含む。
【００３４】
本開示の他の態様によれば、投影スクリーン装置の構築を容易とする方法であって、使用中に前記複数の投影スクリーンを支持するための所定の寸法の複数の投影スクリーン枠体を必要とする複数の投影スクリーンを収集することと、一度に前記複数の投影スクリーン枠体を構築するのに必要な投影スクリーン枠体モジュールの数よりも少ない複数の投影スクリーン枠体モジュールを収集することと、前記複数の投影スクリーンを他の者に提供することと、前記複数の投影スクリーン枠体のうちの少なくとも１つを構築するのに使用されるよう前記者へ前記複数のフレームモジュールを提供することとを含む、方法が提供される。
【００３５】
本開示の他の態様によれば、投影スクリーン装置を構築する方法が提供される。方法は、投影スクリーンと、少なくとも２つの同一のフレームモジュールを含む複数のフレームモジュールとを提供することと、少なくとも１つの同一のフレームモジュールを含む前記複数のフレームモジュールで投影スクリーン枠体を構築することと、前記投影スクリーンを前記投影スクリーン枠体で支持することと、少なくとも１つの同一のフレームモジュールを含む前記複数のフレームモジュールで少なくとも１つの脚部を構築することと、前記投影スクリーン枠体を前記少なくとも１つの脚部で支持することとを含む。
【図面の簡単な説明】
【００３６】
【図１】投影スクリーン組立体の線図であって、組立体が、一対の脚部、一対の脚部により支持される枠体、およびプロジェクタによって投影される像を表示するよう枠体によって支持されるスクリーンを含むことを示す図である。
【図２】コーナーモジュールおよび複数のフレームモジュール、ならびに、異なった寸法や型を作るようコーナーモジュールおよびフレームモジュールの様々な組合せを用いて組み立てられた４つの枠体を示す図である。
【図３】４つのコーナーモジュールおよび４つのフレームモジュールを組み立てて枠体が作られることを示す、図１の投影スクリーン組立体の枠体の側面図である。
【図４】図３のコーナーモジュールおよびコーナーモジュールに結合された２つのフレームモジュールを示す斜視図である。
【図５】２つのフレームモジュールがコーナーモジュールへの結合のためにコーナーモジュールと位置合わせされていることを示す、図４と同様の図である。
【図６】図４のコーナーモジュールを示す斜視図である。
【図７】図４のコーナーモジュールの、図６の線７−７に沿った断面図である。
【図８】図４のコーナーモジュールの組立図である。
【図９】図４のフレームモジュールの斜視図である。
【図１０】図９のフレームモジュールの組立図である。
【図１１】投影スクリーンの脚部の側面図であって、脚部がＴ字型ベースモジュールと、Ｔ字型ベースモジュールに結合された３つのフレームモジュールとを含むことを示す図である。
【図１２】Ｔ字型ベースモジュールを示す斜視図である。
【図１３】図１１の脚部および図３の枠体の一部を示す斜視図であって、枠体がクランプによって脚部に結合され、スクリーンの一部がクランプ上に配置されていることを示す図である。
【図１４】明瞭性のため枠体が除かれている、図１３と同様の図である。
【図１５】図１３のクランプを示す斜視図である。
【図１６Ａ】図１３の線１６−１６に沿った断面図である。
【図１６Ｂ】図１６Ａの一部の拡大図である。
【図１７】枠体及びスクリーンを示す斜視図であり、一対のスタッド及び弾性ループによりスクリーンが枠体に結合されることを示す図である。
【図１８】スクリーンと、３つの縫い目のパターンでスクリーンに結合された３つの弾性ループとを示す側面図である。
【図１９】図１８の線１９−１９に沿った断面図である。
【図２０】図１と同様の図であり、枠体の上部コーナーモジュールを置き換える一対のＴ字型ベースモジュールを有する枠体を示しており、他の一対のＴ字型ベースモジュールは前述のＴ字型ベースモジュールに結合され、フレームモジュールは後述のＴ字型ベースモジュールに結合され、ドレープ（仮想線で示す）は、やはり枠体に支持されている縁に対して枠体によって支持されることを示す図である。
【図２１】一対のフレームモジュールがその間に連結部が形成されるよう端部と端部が合うように結合され、連結部を結びつけ補剛するよう第３のフレームモジュールが一対のフレームモジュールに結合されることを示す、斜視図である。
【図２２】容器、多数のスクリーンおよび枠部品と含み、枠の略図が容器上に設けられている、投影スクリーンキットを示す斜視図である。
【図２３】図２１と同様の斜視図であり、連結部を結びつけ補剛するよう一対のバーが一対のフレームモジュールに結合されていることを示す図である。
【図２４】スクリーンを枠体に据え付けられたスタッドに結合するよう設けられたプレートおよび弾性コードを示す斜視図である。
【図２５】スクリーンを枠体に据え付けられたスタッドに結合するよう設けられたプレートおよび弾性コードを示す斜視図である。
【図２６】他のクランプを示す斜視図である。
【図２７】図２６のクランプを、枠部材に隣接して、クランプのアームが開いた位置で示す平面図である。
【図２８】図２７と同様の図であり、クランプが枠部材の上に押されるにつれて、アームが閉じた位置へ旋回することを示す図である。
【図２９】他の実施例のフレームモジュールの対向する端部を示す斜視図である。
【図３０】他の実施例のループ部接続プレートを示す断面図である。
【図３１】ドレープ支持部を示す斜視図である。
【図３２】図３１のドレープ支持部を示す断面図である。
【図３３】図３１のドレープ支持部を示す側面図である。
【図３４】１つのポストに結合された一対のループ部を示す断面図である。
【図３５】他の実施例の一対のドレープ支持部を示す斜視図である。
【図３６】図３５の逆Ｕ字型ドレープ支持部の底部を示す端面図である。
【図３７】投影スクリーン枠体のポストに結合された図３５の他の実施例のドレープ支持部の一部を示す側面図である。
【発明を実施するための形態】
【００３７】
本開示の上述の特徴および他の特徴については、本開示の実施態様の以下の説明を添付の図面と共に参照することにより、より明らかとなり、より良く理解されるであろう。
【００３８】
幾つかの図面において、対応する参照符号は対応する部分を示す。図面は本発明の実施態様を示しているが、図面は必ずしも縮尺通りではなく、本発明についてよりよく示し、説明するために、いくつかの特徴について誇張して示すことがある。
【００３９】
以下に開示する実施例は、網羅的であること、又は、以下の詳細な説明に開示する厳密な形に本発明を限定することを意図したものではない。むしろ、実施例は、他の当業者が自己の教示を用いることができるように、選び、記載したものである。
【００４０】
本開示によれば、プロジェクタ１２により投射される像を表示する投影スクリーン装置１０が提供される。一般的には、投影スクリーン装置１０は、構造物の床の上に自立するための一対の脚部１４を含む。本開示の他の実施態様によれば、投影スクリーン装置１０は、留め具、ケーブル、または他の適当な装置を用いて、壁、天井、または他の構造体に吊下げられてもよい。
【００４１】
図１に示すように、プロジェクタ１２は、プロジェクタ１２によって投影される像を視聴者へ反射して返すよう投影スクリーン装置１０の視聴者側に配置される。他の据え付けによれば、プロジェクタ１２は、背面投射用途のため、投影スクリーン装置１０の背面側に配置され、プロジェクタ１２によって投影される像は投影スクリーン装置１０を通って視聴者に対して表示される。幾つかの据え付けによれば、投影スクリーン装置１０を通って音が透過するよう、スピーカ（図示せず）は、投影スクリーン装置１０の後ろ側に配置される。
【００４２】
図１に示すように、投影スクリーン装置１０は、周囲の投影スクリーン枠体１６および枠体１６に張設された投影スクリーン１８を更に含む。典型的な枠体１６は、図３に示すように、４つのコーナーフレームモジュール２２と、コーナーモジュール２２の間に延在する４つの延在枠部材２４とを含む。各枠部材２４は、１以上のフレームモジュール２６からなる。各枠部材２４用のフレームモジュール２６の長さ及び数は、試写会といった特定の用途で用いられるスクリーン１８の寸法に依存する。
【００４３】
図２に示すように、フレームモジュール２６は、モジュール２６Ａ、２６Ｂ、２６Ｃ、２６Ｄ、２６Ｅ、および２６Ｆを含む様々な寸法で提供される。他の寸法及び長さのモジュール２６もまた提供されうる。図２はまた、図式的に、異なる寸法および数のフレームモジュール２６を用いて組み立てられた幾つかの枠体１６、並びに、枠体１６によって支持される様々なスクリーン１８（背面から図示する）を示す。各枠体１６は、どのモジュール２６が用いられたかに応じて、異なる高さおよび幅を有する。例として、以下の表は、図２に示す異なる寸法の枠体１６Ａ−１６Ｄを作るのに用いられる様々な組合せのフレームモジュール２６を示す。
2017129867.tif 000003
【００４４】
より背の高い／より背の低い、および／または、より広い／より狭い枠体１６を組み立てるために異なる組合せのフレームモジュール２６が使用されうる。例えば、枠体１６Ｂでは、より広い枠体を作るため、フレームモジュール２６Ａの代わりにフレームモジュール２６Ｂでもよい。上記の表に示すように、各枠体１６Ａ、１６Ｂ、１６Ｃ、１６Ｄに対して対応するスクリーン１８Ａ、１８Ｂ、１８Ｃ、１８Ｄが提供される。同様に、異なる枠体寸法を作るために異なるモジュール２６が提供される場合、異なる寸法とされた枠体１６に対応するよう異なる寸法のスクリーン１８が提供されうる。
【００４５】
枠体１６は、図３中、４つのコーナーモジュール２２と、説明の便宜上、各々が１つのモジュール２６を含む４つの枠部材２４とを含むものとして図示されている。通常は、各枠部材２４は、図２に図式的に示すように、多数のモジュール２６を含む。図５に示すように、各コーナーモジュール２２および各フレームモジュール２６は、雄部２８および雌
部３０を含む。各雄部２８は、それぞれの雌部３０と結合するよう構成されている。例えば、図５に示すように、コーナーモジュール２２の雄部２８は、隣接するフレームモジュール２６の雌部３０に結合するよう構成され、コーナーモジュール２２の雌部３０は、隣接するフレームモジュール２６の雄部２８に結合するよう構成される。同様に、フレームモジュール２６の雄部２８は、隣接するコーナーモジュール２２（またはフレームモジュール２６）の雌部３０に結合するよう構成され、フレームモジュール２６の雌部３０は、隣接するコーナーモジュール２２（またはフレームモジュール２６）の雄部２８に結合するよう構成される。
【００４６】
各雄部２８は、雌部３０のナットまたはカプラ３４に螺入または結合されるねじ付き組立体またはカプラ３２を含む。いったんカプラ３２、３４によって結合されると、図３および図４に示すように、コーナーモジュール２２およびフレームモジュール２６はかなり剛性のある枠体１６を作る。
【００４７】
図５乃至図８に示すように、各コーナーモジュール２２は、一対の外周管３６、内周管３８、およびセグメントに分かれた内周管４２を定めるよう協働する内周管セグメント４０を含み、それら全てが溶接され、管状枠体４４を形成する。コーナーモジュール２２は、望ましくは溶接の前に、それぞれの外周管３６に挿入される鋳造されたコーナー４６を更に含む。
【００４８】
各雄部２８は、夫々の管３６、３８の端部の中に嵌るような寸法とされた一対のインサート４８と、インサート４８に受容される一対のポスト５０とを含む。インサート４８は、好ましくはプラスチックで成形され、ポスト５０は、好ましくは鋼であり、成形処理中にインサート４８内にオーバーモールドされる。図７に示すように、各ポスト５０は、ポスト５０がそれぞれのインサート４８から引き抜かれるのを防止する肩部５２を含む。各インサート４８は、以下説明するように、雌部３０と噛み合う突出した肩部またはリム５４を含む。
【００４９】
各雄部２８は、管３６、３８を通ってインサート４８へ延びる留め具５８で管３６、３８に留められる一対のスプリットカラーまたはプレート５６を更に含む。カラー５６は、管３６、３８の回りを囲み、比較的平坦な輪郭を与える。カラー５６は、図７及び図８に示すように、カプラ３２を受容するチャネル部６０および溝６２を更に含む。
【００５０】
カプラ３２は、ねじ山付き軸部６６、ノブ６８および六角頭７０を有するねじ山付きポストまたはボルト６４を含む。カプラ３２は更に、軸部６６内の溝７４およびカラー７６に嵌合するクリップ７２を含む。クリップ７２は、溝６２の中に受容され、以下に示すように軸部６６が回転しているときに軸部６６がカラー５６を上下に平行移動させるのを防止する。カラー７６は、軸部６６を受容し、以下に示すように、雄部２８のカプラ３２と雌部３０のカプラ３４が結合している間、ねじ山付きポスト６４によって印加される負荷を分散する。
【００５１】
各雌部３０は、それぞれの管３６、４２の端部の中に嵌まるような寸法とされる一対のインサート７８を含み、雄部２８のポスト５０を受容するような寸法とされた一対の開口８０を画成する。インサート７８は、望ましくはプラスチックで成形され、雄部２８のインサート４８の肩部５２と噛み合う環状チャネル部８２を含む。
【００５２】
各雌部３０は、管３６、４２を通ってインサート７８内へ延びる留め具５８で管３６、４２に留められる一対のスプリットカラーまたはプレート８４を更に含む。カラー８４は、管３６、４２の回りを囲み、比較的平坦な輪郭を与える。カラー８４は、図７および図８に示すように、カプラ３２を受容するチャネル部８６および溝８８を更に含む。
【００５３】
カプラ３４は、カプラ３２のポスト６４のねじ山付き軸部６６を受容するねじ山付き開口９２を有するプレート９０を含む。プレート９０は、溝８８内に配置され、軸部６６を受容し、雄部２８のカプラ３２と雌部３０のカプラ３４が結合している間、ねじ山付きポスト６４によって印加される負荷を分散する。
【００５４】
他の実施例によるカプラ３４'を図２９に示す。カプラ３４は、カプラ３４と同様であ
るが、２つのボルト６４を含む。プレート９０'は、ボルト６４のねじ山付き軸部６６を
受容する一対のねじ山付き開口９２を含む。
【００５５】
コーナーモジュール２２と同様に、フレームモジュール２６は、各々が管９４を含む。フレームモジュール２６は、管９４内に挿入されるインサート４８、７８と、カプラ３２、３４を支持するカラー５６、８４とを更に含む。カラー５６、８４は、それぞれのカプラ３２、３４を支持することに加え、管９４を所定の位置に支持する。各モジュール２６は、管９４を所定の位置に支持する一対の中央のカラー又はプレート９６を更に含む。
【００５６】
枠体１６の組立中、雄部２８のポスト５０は、雌部３０の開口８０と位置合わせされ、その中に挿入される。この位置合わせにより、カプラ３２のねじ山付き軸部６６は、カプラ３４のプレート９０のねじ山付き開口９２と位置合わせされる。組立者は、手で、又は他の方法でノブ６８を回すこと、又は六角頭７０に対して器具を用いることによってポスト６４を回転させる。ポスト６４が回転するにつれて、図４に示すように、軸部６６は、プレート９０内へと更に引き入れられ、それにより雄部および雌部２８、３０を互いにしっかりと固定されるまで引きつける。
【００５７】
フレームモジュール２６は、枠体１６の部分を形成することに加え、図１及び図１１に示すように、脚部１４の部分を形成するのにも使用されうる。脚部１４は、ベースモジュール９８および１以上のフレームモジュール２６を含む。各ベースモジュール９８は、複数の管１００、１０２およびセグメントに分かれた管１０８を定めるべく協働する管セグメント１０４、１０６を含む。管１００、１０２、１０８は、管状枠体１０９を形成するよう互いに溶接される。ベースモジュール９８は、雄部カプラ３２および一対の雌部カプラ３４を含む。図１及び図１１に示すように、１以上のフレームモジュール２６は、雌部カプラ３４でベースモジュール９８に結合されて脚部１４の水平基部１１０を形成し、１以上のフレームモジュール２６は雄部カプラ３２でベースモジュール９８に結合されて脚部１４の垂直直立部１１２を形成する。
【００５８】
ベースモジュール９８はまた、コーナーモジュール２２を置き換えて、ドレープ９９を支持する枠体１６を形成してもよい。ドレープ９９は、スクリーン１８が視聴者によって視られることを可能とする開口を有するが、それ以外はスクリーン１８の縁１８および枠体１６の殆どを覆う。追加的なベースモジュール９８は、上方コーナーモジュール２２を置き換えたベースモジュール９８に結合される。フレームモジュール２６は、これらの一番上のベースモジュール９８に結合され、ドレープ９９を支持するためのクロスバー１０１を形成する。以下に説明する補強バー２１８、２１９は、雌−雌連結部２２１をそれらの間に有する一番上のベースモジュール９８の間でフレームモジュールを結合するために用いることができる。
【００５９】
図１３に示すように、枠体１６は、１以上のクランプ又はコネクタ１１４とフック１１５とによって脚部１４の直立部１１２に結合される。クランプ１１４は、好ましくは、図１３に示すように、枠体１６の下部及び枠体１６の上部に設けられる。クランプ１１４は、枠体１６を直立部１１２に結合させるため、図１３に示すように、コーナーモジュール２２の管３６、または、フレームモジュール２６の管９４の回りを囲む。任意のフック１
１５が枠体１６のポスト１６２を支持する。
【００６０】
図１６Ａに示すように、クランプ１１４は、Ｕ字型ベース部１１６と、一対の蝶番ピン１２０によってベース部１１６に旋回可能に取り付けられた一対のＬ字型アーム部１１８とを含む。クランプ１１４は、ねじ山付き軸部１２６、ノブ１２８、および六角頭１３０を有するねじ山付きポスト、ボルト、または圧縮部材１２４と、ねじ山付き軸部１２６の端部に結合されたゴムバンパー１３２とを有するドライブ１２２を更に含む。
【００６１】
枠体１６を脚部１４に結合している間、Ｌ字型アーム部１１８は、コーナーモジュール２２の管３６（またはフレームモジュール２６の管９４）の回りを囲み、Ｕ字型ベース部１１６はフレームモジュール２６の管９４を覆う。組立者は、ねじ山付き軸部１２６がベース１１６のねじ山付き開口１３４を通って入るようノブ１２８を回し、それによりゴムバンパー１３２を管９４の中へ推し進め、Ｌ字型アーム部１１８を管３６の中へ引き込み、コーナーモジュール２２の管３６がフレームモジュール２６の管９４と互いに引きつけまたは押しつけるようにする。
【００６２】
ゴムパッドまたは弾性足部１３６は、フレームモジュール２６の管９４の１以上の側に設けられている。コーナーモジュール２２の管３６がフレームモジュール２６の管９４と互いに引きつけられると、ゴム足部１３６は圧縮され、管３６、９４の間につかみが生ずる。図１１に示すように、ゴム足部１３６はまた、床又は地面の上で脚部１４を支持し、カラー５６、８４のための隙間を与える。脚部１４上で用いられていないときは、投影スクリーン枠体１６を構築するのに用いられる側方フレームモジュールの足部１３６は、地面から離間し、投影スクリーン枠体１６の内向きの面に結合される。同様に、投影スクリーン枠体１６用の枠部材２４上で用いられていないとき、投影スクリーン枠体コネクタを形成するポスト１６２は、ループ部１６４といった投影スクリーン１８のコネクタから離間している。
【００６３】
脚部１４が投影スクリーン枠体１４に結合しているとき、フレームモジュール２６といった同一の枠部材は、異なる平面上の向きとされうる。例えば、投影スクリーン枠体１６を構成するのに用いられるフレームモジュール２６は、略水平または垂直であり且つスクリーン１８に対して平行であり、また、同一のフレームモジュール２６はスクリーン１８に対して法線方向でありうる。
【００６４】
図１６Ｂに示すように、管３６、９４および本願に記載の他の管は、投影スクリーン枠体１６の外面に形成された複数の長手方向に延びる溝または凹部１３８を含み、Ｌ字型アーム部１１８は、溝１３８に嵌る寸法とされた歯１４０を含む。ドライブ１２２によってＬ字型アーム部１１８が管３６に向かって引きつけられると、歯１４０は、更に溝１３８の中へと配置される。歯１４０は、ドライブ１２２が管３６、９４を互いに押しつけているとき、Ｌ字型アーム部１１８が管３６から引き離されることに抵抗する。
【００６５】
図２６乃至図２８に、他の実施態様のクランプ１４２を示す。クランプ１４２は、上述のクランプ１１４と同様であるが、各々が管３６の溝１３８に嵌まる一対の歯１４６を有する重なり合うＬ字型アーム部１４４を含む。
【００６６】
図１３に示すように管３６を管９４へ締め付けるために、管３６、９４は、図１３に示すように位置合わせされる。次に、図２７に示すように開いた位置にある夫々のクランプ１１４、１４２は、管９４の後ろに配置される。次に、夫々のクランプ１１４、１４２のアーム１１８、１４４が管３６の回りを囲むよう、Ｕ字型基部１１６は、管９４の上に図１３及び図１６に示す位置まで挿入される。
【００６７】
クランプ１１４、１４２を管３６、９４に据え付けているとき、それぞれのアーム１１８、１４４は、クランプ１４２については、図２７に示すような開いた位置から図２８に示すような部分的に閉じた位置まで旋回し、クランプ１１４については図１６に示すような閉じた位置まで旋回する。この旋回は、クランプ１１４、１４２を管９４の上に配置することにより生ずる。
【００６８】
クランプ１１４と同様、クランプ１４２は、ピン１２０を受容するカラー１４８を含む。カラー１４８は、曲率中心がピン１２０の中心に位置する略円形面１５０を有する。カラー１４８は、更に、クランプ１１４については、図１６に示すようにクランプ１１４、１４２が完全に管９４上に据え付けられているときに管９４に隣接して配置される略平坦面１５２を含む。
【００６９】
クランプ１４２のアーム１４４が開いた位置にあるとき、図２７に示すように、カラー１４８の円形面１５０は、管９４の幅１５６よりも小さい距離１５４だけ離れ、これにより、クランプ１１４、１４２を管９４の上に挿入しているとき、カラー１４８と管９４の間に締まり嵌めを生じさせる。この締まり嵌めは、ベース１１６が管９４の上を、図２８に示すような中間の位置へ、そして、クランプ１１４については図１３乃至図１６に示すような、クランプ１４２については図２６に示すような、完全に閉じた位置まで摺動するとき、カラー１４８およびクランプ１１４、１４２のそれぞれのアーム１１８、１４４の残る部分を方向１６０に回転させる方向１５８にカラー１４８の円形面１５０と管９４の間に摩擦力を生じさせる。最終的に、それぞれのクランプ１１４、１４２のアーム１１８、１４４は、カラー１４８の平坦面１５２が略平行となるよう完全に回転され、それにより締まり嵌めおよび結果として生ずる摩擦を減少又は除去する。
【００７０】
図１３および図１６に示すように、管３６が管９４と位置合わせされ、クランプ１１４（またはクランプ１４２）が管９４の上に挿入されると、アーム１１８（または１４４）は自動的に管３６の回りを囲む。結果として、それぞれのクランプ１１４、１４２のアーム１１８、１４４は、ドライブ１２２が回転し、歯１４６を管３６の溝１３８の中へ係止させるよう、自動的に管３６の回りに配置される。枠体１６を脚部１４から離すため、それぞれのクランプ１１４、１４２のドライブ１２２は反対方向に回され、クランプ１１４、１４２は管３６、９４から引き離される。
【００７１】
一般的には、枠体１６が脚部１４に取り付けられる前に、投影スクリーン１８は枠体１６に固定される。本開示の好ましい実施例によれば、投影スクリーン１８は、枠体１６の複数のスタッドまたはポスト１６２と、スクリーン１８のループ部１６４とを用いて枠体１６に結合される。図３に示すように、ポスト１６２は、枠体１６の外向きの周囲側面１６７に設けられている。ポスト１６２は、枠体１６の他の面にも設けられ得る。ポスト１６２は、スクリーン１８を枠体１６に結合させるためのループ部１６４と接続する投影スクリーン枠体１６の好ましいコネクタである。本開示の他の実施例によれば、スクリーン１８を枠体１６に結合するために、スナップ、面ファスナー、または他のコネクタが設けられ得る。
【００７２】
ポスト１６２は、好ましくは、投影スクリーン枠体１６の外向きの周囲側面１６７に結合される。しかしながら、ここに開示されるポスト１６２および他の枠コネクタは、前向きの面、内向きの面、又は後ろ向きの面といった、投影スクリーン枠体１６の他の面に結合されてもよい。
【００７３】
図３に示すように、ポスト１６２は、コーナーモジュール２２とフレームモジュール２６が組み付けられた後に、均等な増分１６１で枠体１６の回りに設けられる。図１７に示すように、ループ部１６４もまた、かかる増分１６１でスクリーン１８の外周に設けられ
る。本開示の好ましい実施態様によれば、ポスト１６２およびループ部１６４は、６インチ（約１５．２４センチメートル）の増分１６１で設けられる。
【００７４】
均等な増分を維持するため、図４に示すように、モジュール２６およびコーナーモジュール２２の端部１６３、１６５に隣接するポスト１６２は、それぞれの端部１６３、１６５からの増分長さ１６１の半分のところに配置される。例えば、好ましい増分１６１は、６インチ（約１５．２４センチメートル）である。結果として、端部１６３、１６５に隣接するポスト１６２の好ましい間隔１５９は、それぞれの端部１６３、１６５から３インチ（約７．６２センチメートル）とされ、これらの隣接するポスト１６２が互いに３インチ（約７．６２センチメートル）離間されるようにされる。
【００７５】
更に、モジュール２６およびコーナーモジュール２２の長さは、好ましい増分長さの倍数であることが望ましい。例えば、上述のように、好ましい増分長さは６インチ（約１５．２４センチメートル）であり、コーナーモジュール２２およびフレームモジュール２６Ａ、２６Ｂ、２６Ｃ、２６Ｄ、２６Ｅ、および２６Ｆは、それぞれ長さ１２、２４、３６、４２、４８、６０、および７２インチ（約１８２．８８センチメートル）であり、各々が６インチ（約１５．２４センチメートル）の倍数である。言い換えると、好ましい増分長さ（６インチ（約１５．２４センチメートル））は、コーナーモジュール２２およびフレームモジュール２６Ａ、２６Ｂ、２６Ｃ、２６Ｄ、２６Ｅ、および２６Ｆの各長さの約数である。結果として、モジュール２２、２６Ａ、２６Ｂ、２６Ｃ、２６Ｄ、２６Ｅ、および２６Ｆの長さは、ポスト１６２間の間隔の倍数である。一のポスト１６２から連結部２２２までの距離１５９（例：３インチ（約７．６２センチメートル））と、その連結部２２２に隣接する他のポスト１６２から連結部２２２までの距離１５９（例：３インチ（約７．６２センチメートル））の和は、全てのポスト１６２の間の増分距離１６１（例：６インチ（約１５．２４センチメートル））に等しい。ポスト１６２（連結部２２２に隣接）と連結部２２２の間の好ましい距離は、ポスト１６２の間の距離の半分である（例：３インチ（約７．６２センチメートル）は、６インチ（約１５．２４センチメートル）の半分である）。他の実施態様によれば、ポスト１６２（連結部２２２に隣接）と連結部２２２の間の距離は、均等でない。例えば、一のスタッドから連結部２２２までの距離は、２インチ（約５．０８センチメートル）であり、他のポスト１６２から連結部２２２までの距離は４インチ（約１０．１６センチメートル）であり、ポスト１６２の間に６インチ（約１５．２４センチメートル）の距離が作られる。本開示の他の実施態様によれば、ポスト１６２の間隔は同じ増分ではなく、コーナーモジュール２２およびフレームモジュール２６Ａ、２６Ｂ、２６Ｃ、２６Ｄ、２６Ｅ、および２６Ｆの長さは、スタッドまたは他のカプラの間隔の倍数ではない。
【００７６】
本開示の好ましい実施態様によれば、図１６Ａに示すように、ポスト１６２は、拡大された頭部１６６およびより狭い軸部１６８を有する肩付き鋲である。ポスト１６２のほぞ１７０は、種々の管３６、３８、４２、９４の中の予め穿孔された穴へ挿入され、管３６、３８、４２、９４のポスト１６２を保持するよう拡大される。他の実施態様によれば、頭部のないスタッドといった、他のスタッド形態も提供されうる。図３４に示すように、肩付き鋲１６２は、その内側端部の拡大を容易とするため中央開口１６９を有することが望ましい。
【００７７】
好ましい実施態様によれば、ループ部１６４は、好ましくはバンジーコードといった弾性バンドである。他の実施態様によれば、ループ部１６４は、非弾性コード、ロープ、ライン等の他の材料からなるものであってもよい。図１８に示すように、ループ部１６４とスクリーン１８の組合せが協働して全体開口１７８を形成するよう、ループ部１６４は、スクリーン１８に結合される第１の端部１７４及びスクリーン１８に結合される第２の端部１７６を有する。他の実施態様によれば、全体開口が画成されないよう、ループ部１６
４は剛性フック（図示せず）を有しうる。ループ部１６４は、以下に説明するように、ループ部１６４をポスト１６２を越えて引っ張るのを支援するべく、引っ張り用のつまみ１６９を有することが望ましい。
【００７８】
ポスト１６２に結合されると、ループ部１６４の部分は、枠体１６の前方に配置され、部分は周囲側面１６７の外向きに配置される。ポスト１６２または他の枠コネクタが周囲側面１６７以外の位置に設けられているとき、ループ部１６４の部分は、枠体１６の後方又はフレームモジュール２２、２６の部品の内側といった、他の位置に配置されうる。ポスト１６２の回りに巻き付けられたとき、ループ部１６４は、投影スクリーン１８のビュー面に対して法線方向にポスト１６２に対して力を印加する。ループ部１６４はまた、張力を与えるよう投影スクリーン１８に対して外向きの力を印加する。
【００７９】
図１９に示すように、スクリーン１８は、ビュー面１８０と、図１に示すようにビュー面１８０の４辺の回りに延びる縁１８２とを含む。ビュー面１８０および縁１８２は、好ましくは、補強有り又は補強無しのビニルシートといった織布又は不織布から作られる。縁１８２は、ビュー面１８０の各辺の上で折られ、ビュー面１８０に対して、その間の重なりにおいて縫い付けられること、又は他の方法で、結合される。図１７に示すように、縁１８２は、複数の切欠きまたは開口１８４を含み、ループ部１６４はそれらを通って延びる。ループ部１６４の第１および第２の端１７４、１７６は、縁１８２に対して縫い付けられるか、他の方法で結合され、結果として、ループ部１６４は、スクリーン１８の残りの部分に恒久的に結合される。図１８は、ループ部１６４を縁１８２に縫い付ける幾つかの方法を図示する。左から右に、縫い目１８６は縁１８２に対して平行であり、縫い目１８８は、２つの部分１９０が縁１８２に対して４５度のＶ字型であり、縫い目１９２は、縁１８２から４５度の２つの離れた部分１９４を含む。他の縫い目の形態もまた提供されうる。
【００８０】
図２４に示すように、ループ部１６４もまた、プレート１９６が縁１８２の折り目に挟まれた状態で縁１８２に結合されうる。プレート１９６は、略円形体１９８および４つのフィンガー２００を含む。最初は、プレート１９６は、略平坦である。第１および第２の端１７４、１７６は、フィンガー２００の上に配置され、これらはループ部１６４をプレート１９６に固定するために第１および第２の端１７４、１７６の上に丸められる。
【００８１】
ループ部１６４およびプレート１９６を縁１８２に結合するために、プレート１９６は、ループ部１６４が縁１８２の開口１８４を通って延びる状態で、縁１８２の折り目の間に配置される。鋲２０２は、プレート１９６および縁１８２のそれぞれの開口２０５、２０６を通して挿入され、鋲２０２は、プレート１９６を縁１８２に固定するため、図２４の右側２つの例に示すように、従来の方法で拡げられる。プレートは、好ましくは金属で作られるが、他の材料で作られてもよい。
【００８２】
図２５に示すように、ループ部１６４は、プレートまたはシート２０４が縁１８２の折り目に挟まれた状態で縁１８２に結合されてもよい。ループ部１６４およびプレートシート２０４は、略矩形体２０７および使用中はビュー面１８０に対して平行である軸を有する２つの管２０８を含む。シート２０４は、上部２１０から下部２１２にかけて先細とされ、好ましくは成型されたプラスチック材料から作られる。好ましい実施例では、ループ部１６４および以下説明するシート２０４、シート２０４'といった部品、プレート１９
６は、投影スクリーン１８の残りの部分を投影スクリーン枠体１６に接続する投影スクリーンコネクタを画成するよう協働する。
【００８３】
シート２０４は先細であり、またはくさび形であるため、ビュー面１８０に近づくにつれて外側端部から内側端部へと、より柔軟となる。シート２０４は、管２０８の下に一対
の開口２１４を含む。ループ部１６４の第１および第２の終端部１７４、１７６がシート２０４から引っ張られないように、ループ部１６４の第１および第２の端１７４、１７６は、管２０８の内径よりも大きい外形を有するバンドクリップを具備しうる。完全に組み立てられたとき、終端部１７４、１７６は、好ましくは投影スクリーン１８内に配置される。通常は、バンドクリップ２１６は、開口２１４内に配置される。開口２１４内にクリップ２１６を配置するため、クリップ２１６のない第１および第２の端１７４、１７６の少なくとも１つの端部は、それぞれの端部１７４、１７６がそれぞれの開口２１４から外へ延びるよう、カラーまたは管２０８の上方端部を通して、または管２０８の下方端部を通して挿入される。次に、ループ部１６４のそれぞれの端部１７４、１７６がシート２０４から引き出されないよう、管２０８の中の開口よりも大きいバンドクリップ２１６が、それぞれの端部１７４、１７６に対して圧着されるか、他の方法で固定される。他の端部１７６、１７４には、同様にクリップ２１６が設けられ得る。
【００８４】
ループ部１６４およびシート２０４を縁１８２に結合するために、シート２０４は、ループ部１６４が縁１８２の開口１８４を通る状態で、縁１８２の折り目の間に配置される。次に、
シート２０４の薄いほうの下部２１２と縁１８２の折り目が共に縫い付けられ、縫い目２２０が底部２１８および縁１８２の両方の折り目を通って延びるようにされる。
【００８５】
図３０に、他の実施形態のシート２０４'を示す。シート２０４'は、シート２０４と同様であるが、拡張部２０５と、拡張部２０５を通る開口２０９であってその中をループ部１６４が通る開口２０９とを含む。拡張部２０５は、ポスト１６２を視界から隠すようにポスト１６２を越えて延びる。縁１８２は、投影スクリーン１８の部分がポスト１６２を越えて配置されるよう、拡張部２０５の回りに延びる。投影スクリーン１８の上辺２１１は、投影スクリーン枠体１６の上部２１３の上に延びる。同様に、投影スクリーン１８の側辺は、投影スクリーン枠体１６の側方部２１５を越えて延び、投影スクリーン１８の下辺は投影スクリーン枠体１６の下部２１７の下に延びる。
【００８６】
ループ部１６４およびポスト１６２以外の結合装置もまた、スクリーン１８を枠体１６に結合するのに使用されうる。例えば、スナップ、面ファスナー、ロープとグロメット、及び、当業者に知られている他の結合装置が使用されうる。
【００８７】
スクリーン１８を枠体１６に結合するために、ループ部１６４がポスト１６２と位置合わせされるよう、スクリーン１８は枠体１６の上に配置される。ループ部１６４は、次に、ポスト１６２の頭部１６６を越えて伸ばされる。ループ部１６４がポスト１６２の上に配置されたとき、スクリーン１８は、弾性ループ部１６４の伸長によって与えられる張力下にある。
【００８８】
枠体１６の剛性は、特定の寸法の枠体１６を作るために結合されたフレームモジュール２６の数に依存する。例えば、枠体１６Ｄは、通常は枠体１６Ａよりも剛性が低い。時々、枠体１６はあまりにも大きいためそれ自体の重さおよび／または枠体１６によって支持されるスクリーン１８の重さが、枠体１６の歪みを生じさせ、スクリーン１８に波形や他の歪みといった望ましくない結果をもたらしうる。かかる歪みは、プロジェクタ１２からスクリーン１８への像の表示の良さを失わせうる。
【００８９】
かかる歪みを減少させるため、枠体１６には、図２１および図２３に示すような補剛バー２１８、２１９といった補剛バーが提供されうる。補剛バー２１８は、好ましくは、図２１に示すような隣接するモジュール２６の間の連結部２２２に中心を置いたモジュール２６Ｆといったモジュール２６である。補剛バー２１８は、連結部２２２の離隔を減少させ、枠体１６のその部分の全体の面積の慣性モーメント又は梁の強さを増加させるために
、フレームモジュール２６に結合される。補剛バー２１８は、クランプ１１４、１４２または、当業者に知られているボルトおよび他の結合装置といった、他の結合装置を用いてモジュール２６に結合されうる。
【００９０】
補剛バー２１９は、図２３に図示されており、管２２４と、各々がねじ山付き軸部２２８、ノブ２３０、および六角頭２３２を有する一対のねじ山付きポストまたはボルト２２６とを含む。コーナーモジュール２２、フレームモジュール２６、および脚部１４のベースモジュール９８の各々は、ねじ山付き軸部２２８を受容するよう構成された複数のねじ山付き差し込み口２３４を含む。連結部２２２の両側の差し込み口が各補剛バー２１９の軸部２２８の離隔距離でもある等距離２４０だけ離間するよう、差し込み口２３４は、コーナーモジュール２２、モジュール２６、およびベースモジュール９８のカラー５６、８４の長手縁２３６から各々が等距離２３８だけ離間している。従って、補剛バー２１９は、モジュール２６と、他のモジュール２６、コーナーモジュール２２、または脚部１４のベースモジュール９８とのいかなる組合せで決められるいかなる連結部２２２を補剛するためにも使用されうる。
【００９１】
連結部２２２を補剛バー２１９で補剛するために、軸部２２８のうちの１つは、連結部２２２の片側の差し込み口２３４と位置合わせされ、ノブ２３０を回すことによって、または六角頭２３２に対して器具を用いることによって、この差し込み口２３４へ螺入される。次に、補剛バー２１９上の他の軸部２２８は、連結部２２２の反対側の差し込み口２３４と位置合わせされ、この差し込み口２３４に螺入される。補剛バー２１９がフレームモジュール２６に結合されると、連結部２２２は、離れることに更に抵抗し、枠体１６のその断面の断面二次モーメントが増加する。枠体１６の組立中、軸部２２８は、ノブ２３０を回すことにより、または六角頭２３２に対して器具を用いることにより、差し込み口２３４から取り除かれる。
【００９２】
スクリーン１８は、投影スクリーン用途に適した多くの材料から作られうる。好ましくは、スクリーン１８は、約０.４乃至約２.５の反射率利得を有する。前方投影スクリーンは、望ましくは白または薄い灰色の外観である。後方投影スクリーンは、色が薄い灰色で、投影された像がスクリーンを透過し、視聴者に対して表示されることを可能とするよう、半透明であることが望ましい。幾つかのスクリーンは、音がスクリーンを透過することを可能とするよう、スピーカーのカバーの布のように、音響的に透過性がある。
【００９３】
１つの実施態様によれば、スクリーンは、ガラスファイバーにビニル反射面が積層された織布ガラスファイバー裏地を含む（約１.０の利得）。１つの実施態様によれば、ビュ
ー面上に微細なガラスビーズが与えられる（視る角度に応じて約０.５乃至約２.５の利得）。他の実施態様によれば、スクリーンは、裏地のない、白い（視る角度に応じて約１.
０または約０.４乃至約２.２の利得）または薄い灰色（視る角度に応じて約０.６乃至０.９の利得）のビニル材料から作られる。当業者によって知られている他の適当な投影スクリーンもまた与えられ得る。望ましくは、スクリーンに投射された像の良さを著しく減じるような印刷又は他の表示がないように、スクリーンは略空白である。１つの実施態様によれば、略空白のスクリーンは、「ワイドスクリーン」又は他の投射フォーマットのためにスクリーンを枠で囲む黒い縁を具備する。
【００９４】
図２２に示すように、スクリーン１８Ａ、１８Ｂ、１８Ｃといった多数のスクリーン１８、多数のフレームモジュール２６、多数のコーナーモジュール２２、多数の脚部ベースモジュール９８、クランプ１１４（または１４２）、およびキット２４２の他の部品を保持する容器２４６を含むキット２４２が提供されうる。例示のため、必要とされる枠体１６を構築するのに必要な全てのコーナーモジュール２２およびフレームモジュール２６が容器２４６に示されているわけではない。本開示の１つの実施態様によれば、容器２４６
の中に与えられている全ての投影スクリーン１８のために十分な寸法の枠体１６を一度に構築するのに十分なフレームモジュール２２、２６が容器２４６内に与えられているわけではない。
【００９５】
一例として、キットが３つの投影スクリーン１８を含む場合、一度に３つの投影スクリーン１８の全てのための投影スクリーン枠体１６を構築するためには１２個のコーナーフレームモジュール２２が必要となるにもかかわらず、８つだけのコーナーフレームモジュール２２が提供されることがある。更に、投影スクリーン枠体１６が８つのフレームモジュール２６を必要とする場合、一度に３つの投影スクリーン全てのための投影スクリーン枠体１６を構築するためには２４個のフレームモジュール２６が必要とされるにもかかわらず、様々な異なった寸法の１８個だけのフレームモジュール１８が提供されることがある。好ましくは、異なる寸法の枠体１８を構築するために、少なくともいくつかのフレームモジュール２６が使用されうる。時々、キット内に与えられている１つ以上のスクリーン１８のための投影スクリーン枠体１６を構築するために、キット内の少なくともいくつかのフレームモジュール２６が使用できないことがある。しかしながら、かかるフレームモジュール２６は、キットの中に与えられている他の投影スクリーン１８のうちの１つのために他の投影スクリーン枠体１８を構築するために使用可能である可能性が高い。
【００９６】
キット内の全ての投影スクリーン１８のために枠体１６を構築するために必要とされるよりも少ない数のフレームモジュール２６が与えられているため、対応する投影スクリーン部品よりも多くの投影スクリーン枠体部品がある。例えば、全部で、キット内の投影スクリーン１８は、フレームモジュール２２、２６内に与えられているポスト１６２の総数よりも多くのループ部１６４を有することなる。更に、キット内の投影スクリーン１８の周囲全長は、フレームモジュール２２、２６の全長よりも大きい。しかし、フレームモジュール２２、２６の全長は、キット内に与えられている少なくとも１つのスクリーン１８の周囲長さよりも大きい。
【００９７】
好ましくは、キット内に与えられている投影スクリーン１８は、異なった寸法である。例えば、一の投影スクリーン１８は、キット内に与えられた他の投影スクリーン１８よりも１０%大きいものよりも大きいビュー面を有してもよい。
【００９８】
容器２４６の上に、又は容器２４６とともに、様々な枠体の形状の略図又は取扱説明２４４が与えられてもよい。各略図または取扱説明２４４は、特定の寸法のスクリーン１８用の枠体１６を構築するのに必要なモジュール２６の必要な寸法及び数を示す。例えば、一番左の略図２４４Ａは、スクリーン１８Ａと共に使用されるための枠体１６Ａを示し、略図２４４Ｂは、スクリーン１８Ｂと共に使用されるための枠体１６Ｂを示し、真ん中の略図２４４Ｃは、スクリーン１８Ｃと共に使用されるための枠体１６Ｃを示し、略図２４４Ｄは、スクリーン１８Ｄと共に使用されるための枠体１６Ｄを示し、一番右の略図２４４Ｅは、より大きなスクリーン（図示せず）と共に使用されるためのより大きな枠体を示す。略図２４４では、様々な異なった寸法のフレームモジュール２６は、カラーコード、番号、又は他の識別情報が与えられ得る。同様に、各フレームモジュール２６は、一致するカラーコード、番号、又は他の識別情報が与えられ得る。例えば、フレームモジュール２６Ｆは、略図２４４において赤で示され、フレームモジュール２６Ｆに赤の印が与えられ得る。一方で、フレームモジュール２６Ｅは、略図２４４において緑で示され、フレームモジュール２６Ｅに緑の印があたえられうる。キット。
【００９９】
投影スクリーン装置１０を使用する１つの方法によれば、装置の貸し手といったディストリビュータは、借り手といった受取人の場所にキット２４２を提供する。一例では、装置の貸し手は、試写会での使用のためにキット２４２を借り手に貸す。キット２４２が貸し手から借り手によって受け取られると、借り手は、どの寸法のスクリーン１８が自分た
ちのニーズに最も適しているかを決定することができる。適切な寸法のスクリーン１８を選択すると、借り手は、選択したスクリーン１８に一致する適切な寸法の枠体１６を選択する。例えば、キット２４２を受け取ると、借り手は、スクリーン１８Ｃが自分たちのニーズに適した寸法とフォーマットであると決定することができる。次に、借り手は、構築すべき枠体１６Ｃを選択し、枠体１６Ｃを構築するためにどのフレームモジュール２６をコーナーモジュール２２に接続すべきかを決定するために略図２４４Ｃを参照する。
【０１００】
通常は、キット２４２は、キット２４２内に与えられた各異なるスクリーン１８のためのいずれの枠体１６も構築するのに十分なモジュール２６を含む。例えば、キット２４２がスクリーン１８Ａ−１８Ｄを含む場合、スクリーン１８Ａ−１８Ｄを支持するためにいずれかの枠体１６Ａ−１６Ｄが構築されうるよう、少なくとも２つの２６Ａモジュール、２つの２６Ｃモジュール、６つの２６Ｄモジュール、１０個の２６Ｅモジュール、４つの２６Ｆモジュール、および４つのコーナーモジュール２２が与えられることとなる。
【０１０１】
しかしながら、各キット２４２は、通常は、同時に各異なったスクリーン１８のために各枠体１６を構築するのには十分なモジュール２６を含まない。例えば、スクリーン１８Ａ−１８Ｄを全て同時に支持するために全ての枠体１８Ａ−１８Ｄを構築するために、少なくとも２つの２６Ａモジュール、２つの２６Ｃモジュール、１４個の２６Ｄモジュール、２０個の２６Ｅモジュール、１０の２６Ｆモジュール、および１６のコーナーモジュール２２を必要とする。キット２４２は、通常はこれらの部品の全ては含まない。
【０１０２】
枠体１６を構築するのに使用されないキット２４２からのモジュール２６は、他の目的に使用されうる。例えば、枠体１６Ｄが構築されるとき、脚部１４を構築するために、または補剛バーとして、１６Ｄから構築するのに用いられなかった１０のフレームモジュール２６Ｅのうちの６つ、４つのフレームモジュール２６Ｄのうちの２つ、及び全ての（２つの）フレームモジュール２６Ａが使用されうる。
【０１０３】
時々、キット２４２又はそのほかの方法で構築されうる脚部１４および枠体１６の１以上の部品は、損傷を受けうる。結果として、キット２４２は、フレームモジュール２６Ａ、２６Ｂ、２６Ｃ、２６Ｄ、２６Ｅ、２６Ｆ、コーナーモジュール２２、およびベースモジュール９８の各々の予備を含みうる。好ましいスクリーン１８が損傷を受けているとき、キット２４２内のより小さい又はより大きいスクリーン１８が使用されうる。例えば、スクリーン１８Ｂが好ましいが損傷を受けているとき、スクリーン１８Ａ、１８Ｃ、または１８Ｄのいずれかが、それに合う枠体（即ち、枠体１６Ａ、１６Ｂ、または１６Ｄ）とともに使用されうる。
【０１０４】
キット２４２を貸し手に返却するとき、脚部または枠体１６を元の製造業者に修理のために返却することなく脚部１４または枠体１６の損傷した部品を交換することができる。貸し手は、手持ちのストックから、他のキット２４２から、または元の製造業者から交換部品を注文して損傷した部品を交換することができる。
【０１０５】
時々、従前のフォーマットとは異なった高さ対幅の比率を有する新しいスクリーンフォーマットが作られる。かかる新しいフォーマットが作られると、新しいフォーマットを満たすのに十分な長さの新しいフレームモジュール２６を与えることにより、キット２４２は新しいフォーマットのために更新されうる。例えば、より幅広いフォーマットが作られる場合、より長いモジュール２６が製造され、既存のキット２４２内に与えられうる。新しい、より長いモジュール２６とともに、新しいフォーマットの枠体１６の組立者に対して、フレームモジュール２６の正しい組合せを示す更新された略図２４４が与えられる。新しい略図により、組立者は、新しいフォーマットの枠体１６を作るために、より長いモジュール２６を含むいずれのフレームモジュール２６を組み付けるべきかがわかる。
【０１０６】
時々、既存のフレームモジュール２６の新しい組合せが、新しいフォーマットをもたらすことが可能である。例えば、より背の高い輪郭を有するフォーマットを作成するために、枠体１６Ｂのうちのフレームモジュール２６Ａをフレームモジュール２６Ｂと交換することが可能でありうる。任意の追加的な、必要なフレームモジュール２６Ｂとともに、新しいフォーマットの枠体１６の組立者に対して、フレームモジュール２６の正しい組合せを示す更新された略図２４４が与えられる。新しい略図により、組立者は、新しいフォーマットの枠体１６を作成するために、フレームモジュール２６Ｂを含むいずれのフレームモジュール２６が組み付けるべきかがわかる。
【０１０７】
幾つかの用途では、投影スクリーン装置１０は、多数のスクリーン１８を含むキットの中には与えられていない。このような状況では、与えられたスクリーン１８を支持する枠体１６を構築するのに必要な枠部品が十分なだけ与えられる。この枠体１６を構築するためのスペアの枠部品は、枠部品のうちの１つが壊れたとき、またはそのほか修理又は交換が必要となったときに与えられ得る。
【０１０８】
好ましくは、投影スクリーン装置１０の組立て、据え付け、および／または使用に関する取扱説明が、投影スクリーン装置１０と共に与えられるか、他の方法で知らされることで、人または装置が投影スクリーン装置１０を組立て、据え付けおよび／または使用することを可能とする。かかる取扱説明は、投影スクリーン装置１０のいずれか又は全て、部分、および／または投影スクリーン装置１０若しくは投影スクリーン装置１０の部品の上述の組立て、据え付けおよび／または使用の説明を含みうる。取扱説明は、別の紙に、および／または、投影スクリーン装置１０が販売または出荷されるときの包装に与えられ得る。これらの命令は、インターネット又は他の通信システムを介して与えられてもよい。更に、命令は、文字、画像、音声、映像、または任意の他の媒体として、又は、当業者によって知られている取扱説明を通信する方法として具現化されうる。
【０１０９】
投影スクリーン装置１０を構築する方法は、少なくとも１つの予め製造された投影スクリーン１８並びにコーナーフレームモジュール２２およびフレームモジュール２６といった複数の予め製造されたフレームモジュールを受け取ることと、少なくとも１つの予め製造された投影スクリーン１８に対応する投影スクリーン枠体１６を構築するのに十分な複数の予め製造されたフレームモジュール２２、２６のサブセットを選択することと、複数の予め製造されたフレームモジュール２２、２６のサブセットを用いて投影スクリーン枠体１６を構築することと、予め製造された投影スクリーン１８を投影スクリーン枠体１６に結合することとを含みうる。予め製造された投影スクリーン１８は、より大きい材料片から所定の寸法に切られ、それに取り付けられたループ部１６４およびシート２０４によって形成されるコネクタといった適切なコネクタを有するか、別のコネクタを受容するよう適切に準備されてもよい。予め製造されたフレームモジュールは、所定の長さに切られ、隣接するフレームモジュール２２、２６に噛み合う、または他の方法で結合する端部が設けられ得る。
【０１１０】
投影スクリーン装置１０の構築を容易とする方法が提供されうる。方法は、投影スクリーン１８、および製造業者、レンタル業者などといった者から送られうるフレームモジュール２２、２６といった複数の予め製造されたフレームモジュールを受け取ることと、少なくとも１つの予め製造された投影スクリーン１８に対応する投影スクリーン枠体１６を構築するのに十分な複数の予め製造されたフレームモジュールのサブセットを選択することと、複数の予め製造されたフレームモジュール２２、２６のサブセットをレンタル業者又はエンドユーザといった他の者に与えることと、予め製造されたフレームモジュールから者へ、投影スクリーン枠体１６の構築に関する取扱説明２４４を与えることとを含む。
【０１１１】
投影スクリーン装置１０の構築を容易とする他の方法が提供されうる。方法は、使用中に投影スクリーン１８を支持する所定の寸法の投影スクリーン枠体１６を必要とする投影スクリーン１８を提供することと、投影スクリーン枠体１８を構築するのに必要な投影フレームモジュール２２、２６の数よりも多い複数のフレームモジュールを提供することと、投影スクリーン１６を他の者に送ることと、使用中に投影スクリーン１８を支持するために投影スクリーン枠体１６の構築に使用する際に者に複数のフレームモジュール２２、２６を送ることとを含む。この方法は、製造業者、レンタル業者または他の者によって実施されうる。
【０１１２】
投影スクリーン装置１０の構築を容易とする他の方法であって、使用中に複数の投影スクリーン１８を支持するための所定の寸法の複数の投影スクリーン枠体１６を必要とする複数の投影スクリーン１８を収集することと、一度に複数の投影スクリーン枠体１６を構築するのに必要な投影スクリーン枠体モジュール２２、２６の数よりも少ない複数の投影スクリーン枠体モジュール２２、２６を収集することと、レンタル業者又はエンドユーザといった他の者に複数の投影スクリーン１８を提供することと、複数の投影スクリーン枠体１６のうちの少なくとも１つを構築するのに使用されるよう者へ複数のフレームモジュール２２、２６を提供することとを含む、方法が提供されうる。
【０１１３】
投影スクリーン装置１０を構築する方法が提供されうる。方法は、投影スクリーン１８およびフレームモジュール２２、２６といった複数のフレームモジュールを提供することを含む。複数のフレームモジュール２２、２６は、少なくとも２つの同一のフレームモジュール２２、２６を含みうる。方法はさらに、投影スクリーン枠体１６で投影スクリーン１８を支持する少なくとも１つの同一のフレームモジュールを含む複数のフレームモジュール２２、２６で投影スクリーン枠体１６を構築することと、少なくとも１つの同一のフレームモジュール２６を含む複数のフレームモジュール２４で脚部１４といった少なくとも１つの脚部を構築することと、少なくとも１つの脚部で投影スクリーン枠体１６を支持することとを含む。
【０１１４】
投影スクリーン枠体１６に加え、ドレープ９９を支持する他の部品が提供されうる。図３１に示すように、ポスト１６２に結合するドレープ支持部２４８が提供される。ドレープ支持部２４８は、好ましくはプラスチックから成型されたボディー部２５０と磁石２５２とを含む。ボディー部２５０は、図３２および図３３に示すように、ポスト１６２の頭部１６６を受容するような寸法とされた広い部分２５６およびポスト１６２の軸部１６８を受容するような寸法とされた狭い部分２５８を有する凹部またはスロット２５４を含む。磁石２５２は、ボディー部２５０の中に成型されうる。ドレープ支持部２４８がポスト１６２に結合されると、磁石２５２はポスト１６２内の鉄金属に磁気により引きつけられる。ボディー部２５０は、図３２に示すように、ドレープ９９が取り付けられる延長部２６０を含む。
【０１１５】
多数のドレープ支持部２４８は、典型的には、投影スクリーン１８の下に延びるドレープ９９を提供するよう、枠体１８の下部２１７に設けられる。しかしながら、ドレーパー支持部２４８は、投影スクリーン枠体１８の上部２１３および側部２１５のポスト１６２に結合されてもよい。
【０１１６】
ループ部１６４がそれぞれのポスト１６２に結合されるが、これに加え、ドレープ支持体２４８は、ポスト１６２に結合する幾つかの付属品のうちの１つである。例えば、図３２に示すように、ポスト１６２は、ループ部１６４に結合するとともにドレープ支持部２４８に結合する。
【０１１７】
やはりポスト１６２に結合する他のかかる付属品は、他の投影スクリーン１８である。
図３４に示すように、一対のループ部１６４が一つのポスト１６２に結合される。したがって、一の投影スクリーン１８が枠体１６の一方側に配置され、他の投影スクリーンが枠体１６の反対側に配置される。結果として、一つの投影スクリーン枠体１６によって２つの投影スクリーン１８が支持されうる。枠体１６の背面をマスクするため、材料のシートは、投影スクリーンであるか、または、他の材料のシートでありうる。
【０１１８】
図３５に、ループ部１６４がポスト１６２に結合しているときにポスト１６２に結合される更なる他の付属品を示す。Ｕ字型ドレープ支持部２６２は、投影スクリーン枠体１８の上部２１３のポスト１６２に結合し、Ｌ字型ドレープ２６４は、投影スクリーン枠体１８の側部２１５のポスト１６２に結合する。各ドレープ支持部２６２、２６４は、複数のポスト１６２'を含む。ドレープ９９は、ドレープ９９を投影スクリーン１８の上にまた
は投影スクリーン１８の側方に支持するよう、ポスト１６２'に巻き付けられるループ部
１６４を具備し得る。
【０１１９】
ドレープ支持部２４８と同様に、ドレープ支持部２６２は、図３６に示すように、ポスト１６２のヘッド１６６を受容するような寸法とされた広い部分２６８と、ポスト１６２の軸部１６８を受容するような寸法とされた狭い部分２６９とを有する２つの凹部２６６を含む。凹部２６６は更に、ドレープ支持部２６２が同じポスト１６２に結合しているときに、ループ部１６４がスクリーン１８をポスト１６２枠体１６に結合させることを可能とするループ受容部２７０を含む。
【０１２０】
多数のドレープ支持部２６２は、一般的には、投影スクリーン１８の上へ延びるドレープ９９を提供するために枠体１８の上部２１３に設けられる。しかしながら、ドレーパー支持体２６２は、投影スクリーン枠体１８の下部２１７および側部２１５のポスト１６２に結合されてもよい。
【０１２１】
Ｌ字型アーム部ドレープ支持部２６４は、やはりポスト１６２を受容するような寸法とされた、図３７に示すような凹部またはスロット２７２を含む。凹部２７２は、その中にポスト１６２の頭部１６６が通るのを可能とするような寸法とされた広い下部２７４と、軸部１６８を受容し、ヘッド１６６が通過しないような寸法とされた狭い上部２７６とを有する。組立て中、ポスト１６６の頭部１６６は、Ｌ字型アーム部ドレープ支持部２６４の凹部２７２の広い下部２７４と位置合わせされ、頭部１６６は、Ｌ字型アーム部ドレープ支持部２６４に挿入される。次に、Ｌ字型アーム部ドレープ支持部２６４は、狭い上部２７６に配置された軸部１６８へと下げられる。頭部１６６は、狭い上部２７６を通っては取り外せないため、ドレープ支持部２６４は枠体１６に結合される。ドレープ支持部２６４を取り外すには、ドレープ支持部は押し上げられる。Ｌ字型アーム部ドレープ支持部２６４の他の実施態様によれば、上部バー２７８は、Ｌ字型アーム部ドレープ支持部２６４の残る部分に沿って水平に摺動する。上部バー２７８は、上部バー２７８の下に設けられた軌道（図示せず）の中を摺動する。摺動式の接続は、ポスト１６２'が側方から側方
へと平行移動することを可能とする。
【０１２２】
本発明について、例示的な設計を有するものとして説明したが、本発明は、本開示の趣旨及び範囲内において、更に変更されうる。従って、本願は、本発明の一般的な原理を用いた本発明のいかなる変形、使用、又は適合も網羅することが意図される。更に、本願は、本発明が属する技術において知られている、又は、慣習的に行われるような、本開示からの逸脱を網羅することが意図される。
【図１】
2017129867.tif 000004
【図２】
2017129867.tif 000005
【図３】
2017129867.tif 000006
【図４】
2017129867.tif 000007
【図５】
2017129867.tif 000008
【図６】
2017129867.tif 000009
【図７】
2017129867.tif 000010
【図８】
2017129867.tif 000011
【図９】
2017129867.tif 000012
【図１０】
2017129867.tif 000013
【図１１】
2017129867.tif 000014
【図１２】
2017129867.tif 000015
【図１３】
2017129867.tif 000016
【図１４】
2017129867.tif 000017
【図１５】
2017129867.tif 000018
【図１６Ａ】
2017129867.tif 000019
【図１６Ｂ】
2017129867.tif 000020
【図１７】
2017129867.tif 000021
【図１８】
2017129867.tif 000022
【図１９】
2017129867.tif 000023
【図２０】
2017129867.tif 000024
【図２１】
2017129867.tif 000025
【図２２】
2017129867.tif 000026
【図２３】
2017129867.tif 000027
【図２４】
2017129867.tif 000028
【図２５】
2017129867.tif 000029
【図２６】
2017129867.tif 000030
【図２７】
2017129867.tif 000031
【図２８】
2017129867.tif 000032
【図２９】
2017129867.tif 000033
【図３０】
2017129867.tif 000034
【図３１】
2017129867.tif 000035
【図３２】
2017129867.tif 000036
【図３３】
2017129867.tif 000037
【図３４】
2017129867.tif 000038
【図３５】
2017129867.tif 000039
【図３６】
2017129867.tif 000040
【図３７】
2017129867.tif 000041
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
投影スクリーン装置を構築する方法であって、
投影スクリーンと、少なくとも２つの同一のフレームモジュールを含む複数のフレームモジュールとを提供することと、
少なくとも１つの同一のフレームモジュールを含む前記複数のフレームモジュールで投影スクリーン枠体を構築することと、
前記投影スクリーンを前記投影スクリーン枠体で支持することと、
少なくとも１つの同一のフレームモジュールを含む前記複数のフレームモジュールで少なくとも１つの脚部を構築することと、
前記投影スクリーン枠体を前記少なくとも１つの脚部で支持することとを含む、方法。
【外国語明細書】
2017129867000001.pdf